(57)【要約】      （修正有）【課題】容器のための香り付けられたアタッチメントを提供する。【解決手段】飲料容器のための香り送達システムであって、該システムは、流体飲料を含むためのボトル６３０であって、ボディー領域と、ネック領域と、カラー６３１と、レッジ構造６３５とを含むボトルと、ボディーと少なくとも一つの内部突出構造とを含む香りリング６１０と、可逆的に該ボトルに取り付け可能なキャップ６２０であって、該キャップは、内部リム構造を含み、該キャップは、該キャップが該ボトルにしっかりと留められた場合、該ボトルの該カラーと該キャップの該内部リム構造との間の区画の中に該香りリングを取り囲むように構築されている、キャップとを備え、該香り送達システムは、該キャップが該ボトルに取り付けられた場合、該香りリングからの該香りを該区画の中に閉じ込め、該キャップが該ボトルから切り離された場合、該ボトルの外部環境に該香りを放出する。【選択図】図１０Ａ
2018188221.tif 000002
【特許請求の範囲】
【請求項１】
飲料容器のための香り送達システムであって、該システムは、
流体飲料を含むためのボトルであって、該ボトルは、ボディー領域とネック領域とを含み、該ボトルは、該ネック領域の周りで外向きかつ周方向に延びているカラーと、該ネック領域の周りで外向きかつ周方向に延び、該カラーの上方に位置付けられたレッジ構造とを含む、ボトルと、
ボディーを含む香りリングであって、該ボディーは、該香りリングの該ボディーから発散して香りを生み出すための揮発性化学薬剤で装填され、該香りリングは、該香りリングの該ボディーの内壁から突起している少なくとも一つの内部突出構造を含み、該香りリングは、該香りリングの該少なくとも一つの内部突出構造と該ボトルの該レッジ構造との間における接触に基づいて、該ボトルの該ネック領域の周りに留まるように構成され、該少なくとも一つの内部突出構造は、該レッジ構造の下方に位置付けられている、香りリングと、
可逆的に該ボトルに取り付け可能なキャップであって、該キャップは、該キャップの内部キャップ壁から、かつその周りで周方向に突起している内部リム構造を含み、該キャップは、該キャップが該ボトルにしっかりと留められた場合、該ボトルの該カラーと該キャップの該内部リム構造との間で形成される区画の中に該香りリングを取り囲むように構築されている、キャップと
を備え、
該香り送達システムは、該キャップが該ボトルにしっかりと取り付けられた場合、該香りリングからの該香りを該区画の中に閉じ込めるように構成され、該キャップが該ボトルから切り離された場合、該ボトルの外部環境に該香りを放出するように構成されている、飲料容器のための香り送達システム。
【請求項２】
前記香りリングは、該香りリングの前記ボディーの外壁から突起している少なくとも一つの外部突出構造を含む、請求項１に記載のシステム。
【請求項３】
前記香りリングは、前記ボトルへの前記キャップと該香りリングとの最初の取り付けの前に、該キャップに切り離し可能に連結するように構成され、該香りリングは、該香りリングの前記少なくとも一つの外部突出構造と該キャップの前記内部リム構造との間における接触に基づいて、最初に該キャップに連結し、該キャップが最初に該ボトルに留められた場合、該香りリングは、該香りリングの前記少なくとも一つの内部突出構造と該ボトルの前記レッジ構造との間における接触に基づいて、該キャップに連結されていることから該ボトルに連結されていることに遷移する、請求項２に記載のシステム。
【請求項４】
前記香りリングは、前記キャップまたは前記ボトルによる物理的接触なしに前記香りを生み出すように使用可能である、請求項１に記載のシステム。
【請求項５】
前記香り送達システムは、ユーザーが前記キャップを前記ボトルに取り付け、切り離す複数の場合にわたって、前記香りリングによって生み出された前記香りを前記区画に閉じ込めることと、該香りを前記外部環境に放出することとを繰り返し行うように使用可能である、請求項１に記載のシステム。
【請求項６】
前記少なくとも一つの内部突出構造は、前記香りリングの前記内壁の少なくとも一部に沿って周方向に及ぶ一つの内部突出構造を含む、請求項１に記載のシステム。
【請求項７】
前記少なくとも一つの内部突出構造は、前記香りリングの前記内壁に沿って周方向に、断続的または規則的に及ぶ複数の内部突出構造を含む、請求項１に記載のシステム。
【請求項８】
前記複数の内部突出は、互いに等間隔にされた二つ以上の該内部突出構造を含む、請求項７に記載のシステム。
【請求項９】
前記カラーは、前記ネック領域の表面から下に傾く上側部を有するように構築され、該カラーは、該ネック領域に実質的に垂直な底側部を有するように構築されている、請求項１に記載のシステム。
【請求項１０】
前記キャップは、該キャップが前記ボトルを締める方向および緩める方向に捻ることを可能にするために、該ボトルの前記ネック上の対応するねじ山と接合する前記内部キャップ壁上のねじ山を含む、請求項１に記載のシステム。
【請求項１１】
前記香りリングは、該香りリングの前記ボディーの表面に関して内向きに陥没している一つ以上の孔を含む、請求項１に記載のシステム。
【請求項１２】
前記一つ以上の孔は、規則的または不規則な位置のアレイにおいて前記香りリングの前記ボディーの表面に沿って配列された複数の孔、またはランダムに位置付けられた複数の孔を含む、請求項１１に記載のシステム。
【請求項１３】
前記香りリングは、該香りリングの前記ボディーの表面に関して外向きに突出している一つ以上の突出を含む、請求項１に記載のシステム。
【請求項１４】
前記一つ以上の突出は、規則的または不規則な位置のアレイにおいて前記香りリングの前記ボディーの表面に沿って配列された複数の突出、またはランダムに位置付けられた複数の突出を含む、請求項１３に記載のシステム。
【請求項１５】
前記香りリングは、該香りリングが前記ボトルに切り離し可能に連結されることを可能にするために、前記ボディーを横切る切り取り領域を含み、それによって、該香りリングが該ボトルから選択的に切り離し可能である、請求項１に記載のシステム。
【請求項１６】
前記香りリングは、柔軟な材料を含み、該柔軟な材料は、該香りリングが、拡張して前記ボトルの前記レッジ構造の前記直径を超えるために、少なくとも前記切り取り領域のために十分な間隙を有する程度曲がることを可能にし、それによって、該香りリングは、該ボトルから離れる、請求項１５に記載のシステム。
【請求項１７】
前記香りリングは、前記香りを閉じ込めるための一つ以上の中空にされたチャンバーを含み、該一つ以上の中空にされたチャンバーは、前記キャップが前記ボトルから切り離された場合の噴散を介した該ボトルの前記外部環境への該香りの放出のための外通路を有する、請求項１に記載のシステム。
【請求項１８】
前記区画は、複数のサブ区画を含み、それによって、前記香りリングの異なる部分は、異なるサブ区画の中空容積に露出される、請求項１に記載のシステム。
【請求項１９】
前記複数のサブ区画は、
（ｉ）前記内部リム構造と前記カラーとの間において、前記香りリングの外壁と、前記ボトルの該カラーと、前記キャップの前記内部キャップ壁の一部との間に位置決定される下方サブ区画と、
（ｉｉ）該香りリングが前記レッジ構造と該カラーとの間に位置付けられている場合における、該香りリングの前記内壁と該ボトルの前記ネック領域との間に位置決定される中間サブ区画と、
（ｉｉｉ）該香りリングの該内壁と、該レッジ構造の上側部から、該ボトルの該ネック領域上の対応するねじ山と接合する該内部キャップ壁上のねじ山の交点までの、該ボトルの該ネック領域の一部と、ねじ山の該交点と該香りリングとの間における該キャップの該内部キャップ壁の一部との間に位置決定される上方サブ区画と
を含む、請求項１８に記載のシステム。
【請求項２０】
前記区画は、前記キャップが前記ボトルにしっかりと取り付けられている場合、前記香りリングから発散する前記香りを閉じ込め該区画において該香りを濃縮するように構成された中空容積を含み、それによって、該キャップが該ボトルから切り離された後に濃縮された香りが該ボトルの前記外部環境に放出され、該中空容積は、１ｍｍ３〜３ｍｍ３の範囲にある、請求項１に記載のシステム。
【発明の詳細な説明】
【技術分野】
【０００１】
（関連出願の参照）
本出願は、「ＳＣＥＮＴＥＤ  ＡＴＴＡＣＨＭＥＮＴ  ＦＯＲ  ＣＯＮＴＡＩＮＥＲＳ」という名称であり、かつ２０１２年３月２３日に出願された米国特許出願第１３／４２９，３００号の一部継続出願であり、「ＳＣＥＮＴＥＤ  ＡＴＴＡＣＨＭＥＮＴ  ＦＯＲ  ＣＯＮＴＡＩＮＥＲＳ」という名称であり、かつ２０１１年３月２５日に出願された米国仮特許出願第６１／４６７，８８８号に対する利益および優先権を主張する。前述の特許出願の全内容が、本出願の開示の一部として、参照によって援用される。
【背景技術】
【０００２】
（背景）
鼻腔は、嗅覚を媒介する分化した感覚細胞を有する。人間および動物の主な嗅覚系は、揮発性化学物質を検知し、副次的な嗅覚系は、液相化学物質を検知する。味のような嗅覚は、化学受容の一形態である。概して非常に低い濃度で嗅覚系を活性化させる化学物質は、匂い物質と呼ばれている。従って、匂いの知覚と味の知覚との間に共通性がある。実際、一定の例において、嗅覚は、味覚を補い得、かつ／または他の態様で味覚を向上させ得る。例えば、嗅覚に影響を与える病気が味覚に有害な影響を与えるということは、周知である。味は、人間が食品または飲料品を消費するための動機において重要な役割を果たしているので、食品または飲料品の味の知覚を向上させる薬剤に対する関心が、本分野において存在する。本開示は、これらの必要性および他のそのような必要性を扱う。
【発明の概要】
【課題を解決するための手段】
【０００３】
開示の様態は、容器に香りを提供するためのアタッチメントを含む。一定の例において、香り付けられたアタッチメントは、飲み物または食べ物の格納容器などの容器と関連付けられるために構成されている。香り付けられたアタッチメントは、任意の適した様式で、容器と関連付けられ得る。いくつかの例において、香り付けられたアタッチメントは、容器の円周の周りに嵌まるようなサイズまたは形状のものである。従って、香り付けられたアタッチメントは、スリーブ、ラップ、リングなどであり得る。他の例において、香り付けられたアタッチメントは、適したアタッチメント機構によって、容器に関連付けられるために構成され得る。例えば、香り付けられたアタッチメントは、第一の表面と第二の表面とを有する基板を含み得る。第一の表面は、香り付けられたアタッチメントを容器に関連付けるためのアタッチメント機構を備え、第二の表面は、香りを備えている。そのような様式において、香り付けられた薬剤は、容器の中に含まれた食べ物または飲み物の味の知覚を向上させ、それによって、食べることまたは飲むことにおける経験および／または動機を向上させるように、食べ物または飲み物の容器と関連付けられ得る。さらに、アタッチメントの使用方法、本明細書において説明されるように、香り付けられたアタッチメントを含む容器に香りを提供するためのシステム、および容器と関連付けられるために構成された容器が、提供される。
【０００４】
いくつかの様態において、飲料容器のための香り送達システムは、流体飲料を含むためのボトルであって、ボトルは、ボディー領域およびネック領域を含むように構築され、ボトルは、ネック領域の周りで外向きかつ周方向に延びているカラーと、ネック領域の周りで外向きかつ周方向に延び、カラーの上方に位置付けられたレッジ構造とを含む、ボトルと、香りリングのボディーから発散して香りを生み出すための揮発性化学薬剤で装填されるボディーを含む香りリングであって、香りリングは、香りリングのボディーの内壁から突起している少なくとも一つの内部突出構造を含むように構築され、香りリングは、香りリングの少なくとも一つの内部突出構造とボトルのレッジ構造との間における接触に基づいて、ボトルのネック領域の周りに留まるように構成され、少なくとも一つの内部突出構造は、レッジ構造の下方に位置付けられている、香りリングと、可逆的にボトルに取り付け可能なキャップであって、キャップは、キャップの内部キャップ壁から、かつその周りで周方向に突起している内部リム構造を含み、キャップは、キャップがボトルにしっかりと留められた場合、ボトルのカラーとキャップの内部リム構造との間で形成される区画の中に香りリングを取り囲むように構築されている、キャップとを含み、システムは、キャップがボトルにしっかりと取り付けられた場合、香りリングからの香りを区画の中に閉じ込めるように構成され、キャップがボトルから切り離された場合、ボトルの外部環境に香りを放出するように構成されている。
本発明は、例えば、以下の項目を提供する。
（項目１）
飲料容器のための香り送達システムであって、該システムは、
流体飲料を含むためのボトルであって、該ボトルは、ボディー領域とネック領域とを含み、該ボトルは、該ネック領域の周りで外向きかつ周方向に延びているカラーと、該ネック領域の周りで外向きかつ周方向に延び、該カラーの上方に位置付けられたレッジ構造とを含む、ボトルと、
ボディーを含む香りリングであって、該ボディーは、該香りリングの該ボディーから発散して香りを生み出すための揮発性化学薬剤で装填され、該香りリングは、該香りリングの該ボディーの内壁から突起している少なくとも一つの内部突出構造を含み、該香りリングは、該香りリングの該少なくとも一つの内部突出構造と該ボトルの該レッジ構造との間における接触に基づいて、該ボトルの該ネック領域の周りに留まるように構成され、該少なくとも一つの内部突出構造は、該レッジ構造の下方に位置付けられている、香りリングと、
可逆的に該ボトルに取り付け可能なキャップであって、該キャップは、該キャップの内部キャップ壁から、かつその周りで周方向に突起している内部リム構造を含み、該キャップは、該キャップが該ボトルにしっかりと留められた場合、該ボトルの該カラーと該キャップの該内部リム構造との間で形成される区画の中に該香りリングを取り囲むように構築されている、キャップと
を備え、
該香り送達システムは、該キャップが該ボトルにしっかりと取り付けられた場合、該香りリングからの該香りを該区画の中に閉じ込めるように構成され、該キャップが該ボトルから切り離された場合、該ボトルの外部環境に該香りを放出するように構成されている、飲料容器のための香り送達システム。
（項目２）
上記香りリングは、該香りリングの上記ボディーの外壁から突起している少なくとも一つの外部突出構造を含む、上記項目に記載のシステム。
（項目３）
上記香りリングは、上記ボトルへの上記キャップと該香りリングとの最初の取り付けの前に、該キャップに切り離し可能に連結するように構成され、該香りリングは、該香りリングの上記少なくとも一つの外部突出構造と該キャップの上記内部リム構造との間における接触に基づいて、最初に該キャップに連結し、該キャップが最初に該ボトルに留められた場合、該香りリングは、該香りリングの上記少なくとも一つの内部突出構造と該ボトルの上記レッジ構造との間における接触に基づいて、該キャップに連結されていることから該ボトルに連結されていることに遷移する、上記項目のいずれかに記載のシステム。
（項目４）
上記香りリングは、上記キャップまたは上記ボトルによる物理的接触なしに上記香りを生み出すように使用可能である、上記項目のいずれかに記載のシステム。
（項目５）
上記香り送達システムは、ユーザーが上記キャップを上記ボトルに取り付け、切り離す複数の場合にわたって、上記香りリングによって生み出された上記香りを上記区画に閉じ込めることと、該香りを上記外部環境に放出することとを繰り返し行うように使用可能である、上記項目のいずれかに記載のシステム。
（項目６）
上記少なくとも一つの内部突出構造は、上記香りリングの上記内壁の少なくとも一部に沿って周方向に及ぶ一つの内部突出構造を含む、上記項目のいずれかに記載のシステム。
（項目７）
上記少なくとも一つの内部突出構造は、上記香りリングの上記内壁に沿って周方向に、断続的または規則的に及ぶ複数の内部突出構造を含む、上記項目のいずれかに記載のシステム。
（項目８）
上記複数の内部突出は、互いに等間隔にされた二つ以上の該内部突出構造を含む、上記項目のいずれかに記載のシステム。
（項目９）
上記カラーは、上記ネック領域の表面から下に傾く上側部を有するように構築され、該カラーは、該ネック領域に実質的に垂直な底側部を有するように構築されている、上記項目のいずれかに記載のシステム。
（項目１０）
上記キャップは、該キャップが上記ボトルを締める方向および緩める方向に捻ることを可能にするために、該ボトルの上記ネック上の対応するねじ山と接合する上記内部キャップ壁上のねじ山を含む、上記項目のいずれかに記載のシステム。
（項目１１）
上記香りリングは、該香りリングの上記ボディーの表面に関して内向きに陥没している一つ以上の孔を含む、上記項目のいずれかに記載のシステム。
（項目１２）
上記一つ以上の孔は、規則的または不規則な位置のアレイにおいて上記香りリングの上記ボディーの表面に沿って配列された複数の孔、またはランダムに位置付けられた複数の孔を含む、上記項目のいずれかに記載のシステム。
（項目１３）
上記香りリングは、該香りリングの上記ボディーの表面に関して外向きに突出している一つ以上の突出を含む、上記項目のいずれかに記載のシステム。
（項目１４）
上記一つ以上の突出は、規則的または不規則な位置のアレイにおいて上記香りリングの上記ボディーの表面に沿って配列された複数の突出、またはランダムに位置付けられた複数の突出を含む、上記項目のいずれかに記載のシステム。
（項目１５）
上記香りリングは、該香りリングが上記ボトルに切り離し可能に連結されることを可能にするために、上記ボディーを横切る切り取り領域を含み、それによって、該香りリングが該ボトルから選択的に切り離し可能である、上記項目のいずれかに記載のシステム。
（項目１６）
上記香りリングは、柔軟な材料を含み、該柔軟な材料は、該香りリングが、拡張して上記ボトルの上記レッジ構造の上記直径を超えるために、少なくとも上記切り取り領域のために十分な間隙を有する程度曲がることを可能にし、それによって、該香りリングは、該ボトルから離れる、上記項目のいずれかに記載のシステム。
（項目１７）
上記香りリングは、上記香りを閉じ込めるための一つ以上の中空にされたチャンバーを含み、該一つ以上の中空にされたチャンバーは、上記キャップが上記ボトルから切り離された場合の噴散を介した該ボトルの上記外部環境への該香りの放出のための外通路を有する、上記項目のいずれかに記載のシステム。
（項目１８）
上記区画は、複数のサブ区画を含み、それによって、上記香りリングの異なる部分は、異なるサブ区画の中空容積に露出される、上記項目のいずれかに記載のシステム。
（項目１９）
上記複数のサブ区画は、
（ｉ）上記内部リム構造と上記カラーとの間において、上記香りリングの外壁と、上記ボトルの該カラーと、上記キャップの上記内部キャップ壁の一部との間に位置決定される下方サブ区画と、
（ｉｉ）該香りリングが上記レッジ構造と該カラーとの間に位置付けられている場合における、該香りリングの上記内壁と該ボトルの上記ネック領域との間に位置決定される中間サブ区画と、
（ｉｉｉ）該香りリングの該内壁と、該レッジ構造の上側部から、該ボトルの該ネック領域上の対応するねじ山と接合する該内部キャップ壁上のねじ山の交点までの、該ボトルの該ネック領域の一部と、ねじ山の該交点と該香りリングとの間における該キャップの該内部キャップ壁の一部との間に位置決定される上方サブ区画と
を含む、上記項目のいずれかに記載のシステム。
（項目２０）
上記区画は、上記キャップが上記ボトルにしっかりと取り付けられている場合、上記香りリングから発散する上記香りを閉じ込め該区画において該香りを濃縮するように構成された中空容積を含み、それによって、該キャップが該ボトルから切り離された後に濃縮された香りが該ボトルの上記外部環境に放出され、該中空容積は、１ｍｍ３〜３ｍｍ３の範囲にある、上記項目のいずれかに記載のシステム。
（摘要）
開示の様態は、容器に香りを提供するためのアタッチメントを含む。いくつかの様態において、香り送達システムは、各々が周方向に外向きに延びているカラーおよびレッジ構造を含むボトルと、香りを発散し、生み出すための揮発性化学薬剤で装填される香りリングであって、香りリングは、リングの内壁から突起している内部突出構造を含み、香りリングは、内部突出構造とボトルのレッジ構造との間における接触に基づいて、ボトルのネックの周りに留まるように構成される、香りリングと、可逆的にボトルに取り付け可能なキャップであって、キャップは、キャップの内部から周方向に突起している内部リム構造を含み、キャップは、キャップがボトルにしっかりと留められた場合、カラーと内部リム構造との間に形成される区画の中に香りリングを取り囲み、香りを閉じ込めるように構築されている、キャップとを含む。
【図面の簡単な説明】
【０００５】
慣例に従って、図面の様々な特徴は、一定の縮小比で描かれなくてもよい。むしろ、様々な特徴の寸法は、明確性のために、恣意的に拡大または縮小され得る。図面に含まれるのは、以下の図である。
【０００６】
【図１Ａ】図１Ａおよび図１Ｂは、開示に従う香り付けられたリングの例を例示し、図１Ａは、香り付けられたリングの一つの例を表し、図１Ｂは、香り付けられたリングの他の例を表す。
【図１Ｂ】図１Ａおよび図１Ｂは、開示に従う香り付けられたリングの例を例示し、図１Ａは、香り付けられたリングの一つの例を表し、図１Ｂは、香り付けられたリングの他の例を表す。
【０００７】
【図２Ａ】図２Ａおよび図２Ｂは、開示に従う香り付けられたストリップの例を例示し、図２Ａは、香り付けられたストリップを例示し、メインボディーと、メインボディー内の香り付けられた部分を有する取り外し可能な部分とを有し、図２Ｂは、香り付けられたストリップの例を例示し、容器の蓋と切り離し可能に相互作用するために構成された取り外し可能な部分を有する。
【図２Ｂ】図２Ａおよび図２Ｂは、開示に従う香り付けられたストリップの例を例示し、図２Ａは、香り付けられたストリップを例示し、メインボディーと、メインボディー内の香り付けられた部分を有する取り外し可能な部分とを有し、図２Ｂは、香り付けられたストリップの例を例示し、容器の蓋と切り離し可能に相互作用するために構成された取り外し可能な部分を有する。
【０００８】
【図３Ａ】図３Ａは、香り付けられたアタッチメントの他の例を例示し、香りは、容器の少なくとも一部の中に吸収される。
【０００９】
【図３Ｂ】図３Ｂは、香り付けられたアタッチメントの他の例を例示する。
【００１０】
【図４】図４は、図３Ｂの香り付けられたアタッチメントの他の例を例示する。
【００１１】
【図５】図５は、香り付けられたカプセルを例示する。
【００１２】
【図６】図６は、香り付けられたボトルキャップシステムの例示的実施形態の分解図を示す。
【００１３】
【図７】図７は、香り付けられたボトルキャップシステムの香り付けられたリングの例示的実施形態を示す。
【００１４】
【図８Ａ】図８Ａおよび図８Ｂは、香り付けられたボトルキャップシステムのキャップの例示的実施形態を示す。
【図８Ｂ】図８Ａおよび図８Ｂは、香り付けられたボトルキャップシステムのキャップの例示的実施形態を示す。
【００１５】
【図９】図９は、キャップと連結されている香り付けられたリングの断面図を示す。
【００１６】
【図１０Ａ】図１０Ａは、香り付けられたリングと、キャップと、ボトルとが組み立てらた場合における、香り付けられたボトルキャップシステムの断面図を示す。
【００１７】
【図１０Ｂ】図１０Ｂ、図１０Ｃおよび図１０Ｄは、図１０Ａに示された香り付けられたボトルキャップシステムの様態の拡大図を示す。
【図１０Ｃ】図１０Ｂ、図１０Ｃおよび図１０Ｄは、図１０Ａに示された香り付けられたボトルキャップシステムの様態の拡大図を示す。
【図１０Ｄ】図１０Ｂ、図１０Ｃおよび図１０Ｄは、図１０Ａに示された香り付けられたボトルキャップシステムの様態の拡大図を示す。
【００１８】
【図１１Ａ】図１１Ａおよび図１１Ｂは、香り付けられたボトルキャップシステムの香り付けられたリングの例示的実施形態を示す。
【図１１Ｂ】図１１Ａおよび図１１Ｂは、香り付けられたボトルキャップシステムの香り付けられたリングの例示的実施形態を示す。
【００１９】
【図１２Ａ】図１２Ａ、図１２Ｂおよび図１２Ｃは、香り付けられたボトルキャップシステムの香り付けられたリングの例示的実施形態を示す。
【図１２Ｂ】図１２Ａ、図１２Ｂおよび図１２Ｃは、香り付けられたボトルキャップシステムの香り付けられたリングの例示的実施形態を示す。
【図１２Ｃ】図１２Ａ、図１２Ｂおよび図１２Ｃは、香り付けられたボトルキャップシステムの香り付けられたリングの例示的実施形態を示す。
【００２０】
【図１３】図１３は、開示の実施形態に従う、香り付けられたボトルキャップシステムを製造する方法の例示的実施形態のフロー図を示す。
【発明を実施するための形態】
【００２１】
本開示がさらに説明される前に、本開示は、説明される特定の例に限定されず、従って、もちろん変化し得るということが理解されるべきである。本明細書において使用される用語は、特定の例を説明することだけを目的としており、限定することを意図されていないということも理解されるべきである。他の態様で規定されない限り、本明細書において使用される全ての技術用語および科学用語は、本発明の当業者によって一般的に理解される意味と同じ意味を有する。
【００２２】
値の範囲が提供される場合、その範囲の上限と下限との間にある各値（文脈が他の態様を明確に指示しない限り、下限の単位の十分の一まで）、およびその述べられた範囲における任意の他の述べられる値または間にある値は、発明に包含されると理解される。述べられた範囲における任意の具体的に排除された限定があると仮定して、これらのより小さい範囲の上限および下限は、独立してより小さい範囲に含まれ得、さらに、発明に包含される。述べられた範囲が上限および下限のうちの一つまたは両方を含む場合、それらの含まれた上限および下限のうちのいずれかまたは両方を排除する範囲も、発明に含まれる。
【００２３】
本出願を通して、様々な公開、特許、および公開特許出願が引用され得る。本出願において参照されるこれらの公開、特許、および公開特許出願の開示は、本明細書によって、その全体が参照によって本開示に援用される。本明細書における公開、特許、または公開特許出願の引用は、その公開、特許、または公開特許出願を先行技術として承認するものではない。
【００２４】
本明細書および添付された特許請求の範囲において使用される場合、単数形の「一つの（”ａ”、”ａｎｄ”、および”ｔｈｅ”）」は、文脈が他の態様を明確に指示しない限り、複数の指示物を含むということが留意されなければならない。従って、例えば、一つの「開口部」への言及は、複数のそのような開口部を含み得、「その把持要素」への言及は、一つ以上の把持要素、および当業者に公知の把持要素の同等物などへの言及を含む。さらに、特許請求の範囲は、任意の随意の要素を排除するように書かれ得るということに留意されたい。よって、この陳述は、請求の要素の記載、または「負の」限定の使用と関連して、「ただ」、「だけ」などの排他的な用語の使用のための先行する基礎となるように意図されている。
【００２５】
本開示を読むときに当業者にとって明白であるように、本明細書において説明および例示される個別の実施形態のうちの各々は、本発明の範囲または趣旨から逸脱することなく、他のいくつかの実施形態のうちの任意の実施形態の特徴から容易に分離され得る、またはそれらの特徴と容易に組み合わせられ得る、別の構成要素および特徴を有する。
【００２６】
（詳細な説明）
開示の様態は、容器に香りを提供するためのアタッチメントを含む。一定の例において、アタッチメントは、食べ物または飲み物の容器などの容器との取り外し可能な関連付けのために構成されるリングまたはスティッカーである。いくつかの例において、リングは、容器の一部の周りに巻き付くために構成されている。他の例において、スティッカーは、容器の一部上に取り外し可能に貼り付けられるために構成されている。アタッチメントは、香り付けられたアタッチメントを有する容器の使用中間、対象の嗅覚系がアタッチメントの香りによって活性化させられ、それによって、アタッチメントが、容器内に含まれた食品または飲料品を食べる感覚または飲む感覚（例えば、味の知覚）を向上させるように構成されている。
【００２７】
いくつかの例において、リングは、管腔を有する環状のボディーを含み、ボディーは、容器と取り外し可能に関連付けられるために構成されている。例えば、香り付けられたリングは、容器の一部の上で嵌められるために適合させられる伸展可能なボディーを含む。一定の実施形態において、リングのボディーは、伸展力がリングに加えられた場合に、リングの直径が増加し得るような様式、かつ／または伸展力が除去されると、リングの直径が通常の状態に戻り得るような様式で変形する弾性材料から成る。このような様式において、リングは、容器内に含まれた品を消費することの知覚を向上させるように、ボトルのネックなど容器の一部の上で嵌められ得る。
【００２８】
他の例において、アタッチメントは、貼り付く要素として構成され得、第一の表面と第二の表面とを有する基板を含み得る。第一の表面は、香り付けられたアタッチメントを容器に関連付けるためのアタッチメント機構を含み得、第二の表面は、香りを備えている。アタッチメント表面は、容器の表面に付着し得るように、接着剤または他のアタッチメント機構を含み得る。香り付けられた表面は、放出可能に香りを保持するために構成されたマトリックスを含み得、香りは、容器の使用中間、マトリックスから放出され得る。
【００２９】
開示の主題の香り付けられたアタッチメントが最初に説明され、次に、香り付けられたアタッチメントの使用方法、およびそのような香り付けられたアタッチメントが採用され得るシステムが説明される。主題の材料の代表的な使用についての議論も、提示される。
【００３０】
（香り付けられたアタッチメント、システム、および使用方法）
【００３１】
図１Ａおよび図１Ｂに関して見られるように、開示は、容器などの物体に香りを提供するためのアタッチメントを提供する。いくつかの例において、アタッチメント１０は、香りを容器（例えば、食べ物または飲み物の容器２０）に提供するために構成されたリングである。「香り」によって、アタッチメント内に取り込まれること、アタッチメントから放出されること、かつ対象の嗅覚を刺激することが可能な任意の薬剤が意味されている。
【００３２】
例えば、一定の例において、香りは、対象の嗅覚系の化学受容体を刺激する化学薬剤であり得るか、または、さもなければ対象の嗅覚および／または味覚を刺激する化学薬剤であり得る。例えば、一定の例において、香りは、芳香油または精油などの揮発性化合物または匂い物質であり得る。香りが芳香油である場合、芳香油は、柑橘油、ミント油、アニス油、カルダモン油、シナモン油、クローブ油、コリアンダー油、ユーカリ油、フェンネル油、レモングラス油、および／またはナツメグ油など食べ物に由来する油であり得る。香りは、レモン油、ライム油、ネロリ油、および／またはオレンジ油などの柑橘油であり得る。一定の例において、香りは、ペパーミント油および／またはスペアミント油などのミント油を備えている。
【００３３】
香り付けられた精油は、任意の適した様式でアタッチメント内に取り込まれ得る。例えば、アタッチメントは、マトリックスを含み得、精油は、マトリックス内に取り込まれ得る。マトリックスは、液体またはゲルを含み得、液体またはゲルは、香りを含み得る。液体またはゲルは、アタッチメントを作製するために採用される材料と関連付けられ得る。例えば、アタッチメントは、任意の適した様式で組み立てられ得、任意の適した材料から作製され得る。一定の例において、適した材料は、弾性材料、発泡ゴムまたは加硫ゴム、ネオプレン、ポリウレタン、ナイロン、ライクラ、プラスチック、シリコン、およびまたはシリコン含有材料のうちの一つ以上であり得る。よって、アタッチメントが作られる材料は、開示のいくつかの実施形態に従って、リングまたはシートに作製され得、保護デバイスに圧縮または液体射出成形され得る。
【００３４】
例えば、アタッチメントのボディーは、圧縮成形を使用して作製され得、圧縮成形の工程中間、精油を含む要素が、成形工程中間または成形工程後のいずれかにおいて、アタッチメントのボディーに添加される。追加的に、着色剤または他の化学添加物が、圧縮成形最終製品になるシートブランクに添加され得て、例えば、色をつけ、かつ／または、製品の型からの解放において、補助する。一定の例において、アタッチメントは、形状決定された材料または他の態様で成形された材料の一体部品から作られ、空洞を含み得、ゲルまたは基板に関連付けられている香り付けられた材料（例えば、精油を含むゲルまたは基板）は、香り付けられたアタッチメントの管腔の中に注入されるか、または他の態様で挿入される。アタッチメントのメインボディーは、弾性の性質を備え得、それによって、アタッチメントは、容器の一部（例えば、容器のネック）を受け取るために変形することができ、そして、外部からの操作の必要性なしに自動的にアタッチメントの元の構成に戻ることができる。一定の例において、アタッチメントは、基板の中に予め形成されるメインボディーを含み得、香り付けられた薬剤（例えば、精油）を含むゲルまたは他のマトリックスが、基板の一つの表面上に添加され、対向する表面に、適したアタッチメント機構（例えば、接着剤）が添加される。一つ以上の取り外し可能なカバーが、香り付けられた表面および／またはアタッチメント表面のうちの一つ以上を覆うために、追加され得る。
【００３５】
アタッチメントは、チューブ、正方形、または角箱、三角形状、ピラミッド形状、もしくは環状など任意の所望の形状に作られることができる。従って、アタッチメントは、円形状、環状、三角形状、正方形状、長方形状、立方体形状の容器などの、適した容器の周りに嵌まるために構成され得、様々なボトル、瓶などに嵌まるように、規則的または不規則な寸法のものであり得る。一定の例において、図１Ａおよび１Ｂに示されるアタッチメント１０などの香り付けられたアタッチメント、およびアタッチメントが作製される材料は、衛生的であり、軽量であり、材料が拡張することが可能であるように可撓性であり、アタッチメントが容器２０上で受け取られ、かつ容器２０の周りにぴったりと嵌まるように、容器２０の外形の周りで拡張することを可能にし、かつ、アタッチメントが、容器２０がアタッチメントから取り外されたときに元の構成に戻るように構成されることを可能にする。
【００３６】
従って、アタッチメント１０は、任意の適したサイズおよび形状のものであり得るが、典型的に、妨げることなく容器２０と関連付けられるようなサイズおよび形状のものである。容器２０は、飲料または他の食品を格納するための容器などの任意の容器であり得る。容器２０は、任意のサイズまたは任意の形状のものであり得るが、典型的に、対象によって容易に消費されるように意図された飲み物または食品などの、飲み物または食品を含むために適したサイズおよび形状のものである。例えば、容器２０は、プラスチックまたはガラスの容器、金属または金属合金の容器などであり得る。容器２０がガラスから作られる場合、ガラスは、二酸化ケイ素、ソーダ石灰ガラス、パイレックス（登録商標）、鉛クリスタルなどの任意の適したガラスの種類のものであり得る。容器２０が金属から作られる場合、金属は、アルミニウム、鋼鉄（例えば、ステンレス鋼）、ブリキなどの任意の適した金属の種類のものであり得る。本明細書において開示される香り付けられたアタッチメントの様々な実施形態に従う使用のための容器２０は、任意の適した金属の合金も含み得る。容器２０は、ＴＵＰＰＥＲＷＡＲＥ（登録商標）、ＲＵＢＢＥＲＭＡＩＤ（登録商標）、またはＧＬＡＤ（登録商標）容器などのプラスチック容器でもあり得る。
【００３７】
容器２０は、固体、液体または気体などの任意の材料を含み得る。一定の例において、容器２０は、液体を含む流体容器である。容器の中の液体は、液体の任意の形態であり得る。一定の実施形態において、液体は、飲まれることを意図された液体である。例えば、一定の実施形態において、液体は、水、ソーダ、液状栄養剤、ジュース、電解質、スポーツドリンク、アルコール飲料などの液体である。一定の実施形態において、容器２０は、固体物体の容器（例えば、固体の食べ物を含む食品容器）である。例えば、アタッチメントは、ボトル、缶、保温ポット、キャメルバック容器、水筒、または他のそのような飲料容器と関連付けられるために構成され得る。一定の例において、容器は、食べ物の格納のための容器などの食品容器であり得る。
【００３８】
アタッチメント１０は、任意の適した様式で容器２０と関連付けられ得る。いくつかの例において、アタッチメント１０は、容器２０の円周の周りに嵌まるようなサイズまたは形状のものである。従って、アタッチメント１０は、香りを中に含むような様式で作製されたリング、スリーブ、ラップなどであり得る。例えば、一定の例において、アタッチメント１０は、平らまたはチューブ状であり得るリングであり得、アタッチメント１０は、容器が開口部を通って挿入され得る開口部を含み得る。従って、一定の例において、リングアタッチメントは、飲料容器の一部（例えば、ネック）の周りに嵌まるようなサイズおよび形状のものであり得る。よって、リングは、リングがボトルのネック上に、および／またはネックの周りにおいて滑ることができるが、ボトルの長さをスライドして落ちることができないような直径を有し得る。
【００３９】
上記のように、アタッチメント１０は、任意の適した材料から作られ得るが、一定の例において、アタッチメント１０は、伸展することが可能な材料から作られ、従って、リングの直径は、伸展させられた場合、第一のより小さい直径から第二のより大きい直径に動くために構成され得、かつ／または、適した伸展力が存在しない場合、第二の伸展させられた直径から第一の伸展させられていない直径に戻るために構成され得る。このような様式において、リング実施形態などのアタッチメント１０は、容器２０の一部（例えば、容器のネック、中央部、および／または底部）の周りにぴったりと嵌まるために構成され得る。
【００４０】
図１Ａに例示されるように、香り付けられたアタッチメント１０は、リングとして構築されることができ、単一の材料から一体部品として作製され得る。材料は、幅１２と等しい長さ１４、幅１２より小さい長さ１４、または幅１２より大きい長さ１４を有し得る。例えば、一定の実施形態において、長さ１４は、約５または１０ｍｍ〜約１２または１５ｃｍなど、約２または３ｍｍ以下〜約２０ｃｍ以上の範囲であり得、その範囲は、約２または５ｃｍ〜約８ｃｍ、約１０ｃｍを含む。リングとして構築されたアタッチメント１０の一定の例において、リングは、円周を含み、長さ１４は、円周の一点から一方向に離れて移動し、円周上の同じ点に戻るまで計測される。一定の実施形態において、例えば、リングが作られる材料に応じて、材料が伸展する場合、長さ１４は、増加し得る。材料の幅１２は、長さ１４の幅に対応し得るが、典型的に、約５または１０ｍｍ〜約１２または１４ｃｍなど、約２または３ｍｍ以下〜約１５ｃｍ以上の範囲に及び得、その範囲は、約２または５ｃｍ〜約８ｃｍ、約１０ｃｍを含む。材料の厚さは、約２または３ｍｍ〜約８または９ｍｍなど、約１ｍｍ以下〜約１０ｍｍ以上の範囲に及び得、その範囲は、約４または５ｍｍ〜約６または７ｍｍを含む。
【００４１】
リングとして構築されたアタッチメント１０の一定の例において、図１Ａに示されるように、アタッチメントリングは、メインボディー２２を覆われないままにする一方で、容器２０（例えば、ボトル）のネック２４のかなりの部分を覆うように寸法決定され得る。例えば、アタッチメントリングが、容器を使用する対象によって検知可能な香りを生み出すように提供される場合、容器２０のボディー２２の全体を覆わない、またはかなりの部分さえも覆わないアタッチメントリングを有することは、例えば、作るのにより安上がりで、かつ環境により良いので、有用であり得る。従って、いくつかの例において、アタッチメントリングは、ボトルのネックの全て、ボトルのネックの上半分、またはボトルのネックの下半分を覆う。図１Ｂに関して見られるように、いくつかの例において、香り付けられたアタッチメントリング１０は、容器２０のネック２４の上部分２６の周りに嵌まるように寸法決定される。この例示的実装において、香り付けられたアタッチメントリング１０は、例えば、容器２０から飲んでいる間、人に香りを提供するように、容器２０（例えば、ボトル）のネック２４の上部分２６のみを覆うために構成されている。
【００４２】
図２Ａは、開示の実施形態に従う香り付けられたアタッチメントの他の例を表す。アタッチメント１０は、メインボディー１６と、取り外し可能な部分１８とを含む。アタッチメント１０のメインボディー１６は、香り付けられたストリップ４０を中に入れるために構成され得る。香り付けられたストリップ４０は、ストリップ４０に関連付けられている香り付けられた薬剤（例えば、精油）を含む。取り外し可能な部分１８は、アタッチメント１０のメインボディー１６から取りはずされ得、それによって、メインボディー１６の中に入れられている格納された香りを放出し得る。取り外し可能な部分１８は、容器の蓋と関連付けられ得るか、または、他の態様で取り外し可能であり得る。例えば、蓋が取り外された場合、取り外し可能な部分１８は、アタッチメント１０のメインボディー１６から分離され、それによって、香り付けられたストリップ４０からの香りが放出される。この構成において、取り外し可能な部分１８は、飲む前にユーザーによって引き外され得るタブであり得るか、または蓋が取り外される場合にタブが取り外されるような様式で蓋と関連付けられ得るタブであり得る。
【００４３】
例えば、図２Ｂを参照して見られるように、取り外し可能な部分１８は、蓋が取り外された場合に取り外し可能な部分１８がアタッチメント１０のメインボディー１６から分離されるような様式で、蓋３０と関連付けられ得る。例えば、蓋３０は、容器２０に対して蓋３０を捻ることによって、容器２０から取りはずされ得るように構成され得、同様に、香り付けられたアタッチメント１０は、蓋３０がねじれる場合、取り外し可能な部分１８も蓋３０とともにメインボディー１６に対してねじれるように構成され得る。従って、蓋３０が取り外された場合、取り外し可能な部分１８が取り外され、香り付けられたストリップ４０が露出され、それによって、香りを放出する。いくつかの例において、蓋３０は、メインボディー１６と関連付けられた歯３２と、取り外し可能な部分１８とを含み得、それによって、蓋３０が取り外された場合、歯３２がメインボディー１６から分離し、取り外し可能な部分１８がメインボディー１６から取り外されることを引き起こす。
【００４４】
一定の例において、図３Ａを参照すると、香り付けられたアタッチメント１０は、香り付けられた領域４１を形成するように、容器２０の材料の中に実際に取り込まれ得る。香り付けられた領域４１は、容器２０のネック２４の近くの領域において容器２０の中に精油を取り込むことによって、形成され得る。取り外し可能なカバー（示されていない）は、使用まで香りを封じ込めるように、香り付けられた領域４１を覆って配置され得る。例えば、ユーザーは、容器２０を開けて容器の中の飲み物または食べ物を消費する前に、香り付けられた領域４１からカバーを取り外し得る。
【００４５】
図３Ｂは、香り付けられたアタッチメント１０の例を例示し、アタッチメントは、適したアタッチメント機構によって、容器２０に関連付けられるために構成されている。例えば、アタッチメント１０は、第一の表面と第二の表面とを有する基板を含み得る。第一の表面は、香り付けられたアタッチメント１０を容器２０に関連付けるためのアタッチメント機構を備え、第二の表面は、香り（例えば、精油）を備えている。アタッチメント機構は、適した接着剤、スナップ、およびボタン構成、フックループファスナーアタッチメント（例えば、Ｖｅｌｃｒｏ（登録商標））などであり得る。接着剤は、香り付けられたアタッチメント１０を容器２０に関連付けるために使用され得る。あるいは、Ｖｅｌｃｒｏ（登録商標）ストリップが、アタッチメント１０を容器２０に取り付けるために使用され得る。そのような様式において、香り付けられたアタッチメント１０は、容器２０から取り外し可能であり得る。さらに、香り付けられたアタッチメント１０は、容器２０とは別個の要素であり得、別個に得られて、容器２０に取り付けられるように作られ得るか、または、容器２０に予め取り付けられ得る。
【００４６】
図４は、缶として構成された容器２０のための香り付けられたアタッチメントの例を例示する。いくつかの例において、香り付けられたアタッチメント１０は、開放機構２３の隣の缶２０の上部分２１上に位置付けられる。香り付けられたアタッチメント１０は、缶２０に前もって関連付けられ得るか、または、得られ、かつ缶の使用の直前などに缶に取り付けられる分離要素であり得る。香り付けられたアタッチメント１０は、そのように構成され得、缶を開けることによって、アタッチメント１０によって香りが放出されるように、缶２０の開放機構２３と関連付けられ得る。
【００４７】
図５は、香り付けられたカプセルのための香り付けられたアタッチメントを例示し、アタッチメント１０は、メインボディー１５と、メインボディー１５の中の香り付けられた材料５５とを含む。メインボディー１５は、割られた場合、一つ以上の孔が形成され、香り５５が孔から放出されるようなものであり得る。
【００４８】
本技術に従ういくつかの様態において、香り付けられた物品、器具、およびシステムは、保護スリーブシステムに関する。一定の実施形態において、例えば、保護スリーブシステムは、容器を保持することと、保持された容器を保護することとの両方のために構成されている。従って、一定の実施形態において、保護スリーブシステムは、容器を保持するために構成されたチューブ状のボディーを含む（上記などの）保護スリーブと、容器を受け取るために適合させられた少なくとも第一の開口部とを含み、保護スリーブに加えて、保護スリーブシステムは、上記の容器など（例えば、ボトル、缶、または、保護スリーブ内において嵌められるように適合させられ、かつ／または保持されるように適合させられた他の食品格納要素）の適した容器を含み得る。
【００４９】
例えば、一定の例において、香り付けられたアタッチメントは、ガラスまたはプラスチックのボトルなどの適した容器を含むシステムに含まれ得る。例えば、容器は、水またはスポーツドリンクのボトルなどであり得る。アタッチメントは、前もってボトルと関連付けられ得るか、または、使用前に容器のユーザーによって容器に取り付けられることを意図された分離要素であり得る。アタッチメントは、その上にカバーを有する香り付けられた表面を有する基板であり得、追加的にその上にカバーを有する接着表面を含み得る。接着剤を覆うカバーは、ユーザーによって取り外され得、基板は、ユーザーによって容器と関連付けられ得る。そして、香り付けられた表面を覆うカバーは、その中の飲料品または食品を消費する前に、ユーザーによって取り外され得る。代替的な実施形態において、アタッチメントは、リングであり得、リングは、例えば、ユーザーによって、容器の端部の上をスライドさせられて、それによって、容器（例えば、容器のネック）と関連付けられるために構成されている。
【００５０】
容器のための香り付けられたアタッチメントの例は、下記を含む。
【００５１】
香り付けられたアタッチメント（例Ａ１）のいくつかの実施形態において、容器との関連付けのための香り付けられたアタッチメントは、第一の表面と第二の表面とを有する基板を備え、第一の表面は、香り付けられたアタッチメントを容器に関連付けるためのアタッチメント機構を備え、第二の表面は、香りを備えている。
【００５２】
例Ａ２は、例Ａ１の香り付けられたアタッチメントを含み、ここで、例Ａ１の香り付けられたアタッチメントは、第三の表面をさらに備え、第三の表面は、第二の表面を切り離し可能に覆い、それによって、第三の表面が第二の表面を覆っている場合に、香りが放出されることを防ぐ。
【００５３】
例Ａ３は、例Ａ１の香り付けられたアタッチメントを含み、ここで、第二の表面は、マトリックスを備え、マトリックスは、香りを備えている。
【００５４】
例Ａ４は、例Ａ３の香り付けられたアタッチメントを含み、ここで、マトリックスは、ゲルを備え、ゲルは、香りを備えている。
【００５５】
例Ａ５は、例Ａ４の香り付けられたアタッチメントを含み、ここで、香りは、芳香油を備えている。
【００５６】
例Ａ６は、例Ａ５の香り付けられたアタッチメントを含み、ここで、芳香油は、柑橘油、ミント油、アニス油、カルダモン油、シナモン油、クローブ油、コリアンダー油、ユーカリ油、フェンネル油、レモングラス油、およびナツメグ油を備えている。
【００５７】
例Ａ７は、例Ａ６の香り付けられたアタッチメントを含み、ここで、柑橘油は、レモン油、ライム油、ネロリ油、およびオレンジ油から成るグループから選択される油を備えている。
【００５８】
例Ａ８は、例Ａ６の香り付けられたアタッチメントを含み、ここで、ミント油は、ペパーミント油およびスペアミント油から成るグループから選択される油を備えている。
【００５９】
例Ａ９は、例Ａ１の香り付けられたアタッチメントを含み、ここで、基板は、開口部を有するリングを備え、開口部は、開口部においてボトルの一部を受け取るために構成されている。
【００６０】
例Ａ１０は、例Ａ９の香り付けられたアタッチメントを含み、ここで、リングは、取り外し可能に蓋と関連付けられ、蓋は、密封可能にボトルと関連付けられるために構成されている。
【００６１】
例Ａ１１は、例Ａ１０の香り付けられたアタッチメントを含み、ここで、蓋がボトルから取り外された場合、蓋は、リングから離れ、それによって、香りを放出する。
【００６２】
例Ａ１２は、例Ａ１１の香り付けられたアタッチメントを含み、ここで、リングは、シリコンを備えている。
【００６３】
例Ａ１３は、例Ａ１１の香り付けられたアタッチメントを含み、ここで、リングは、弾性を備えている。
【００６４】
例Ａ１４は、例Ａ１３の香り付けられたアタッチメントを含み、ここで、リングは、一つ以上の識別色を備えている。
【００６５】
例Ａ１５は、例Ａ１の香り付けられたアタッチメントを含み、ここで、前述のアタッチメント要素は、接着剤またはループフックアタッチメントのうちの一つ以上を備えている。
【００６６】
例Ａ１６は、例Ａ１１の香り付けられたアタッチメントを含み、ここで、香りは、破裂可能なシール内に封入されている。
【００６７】
例Ａ１７は、例Ａ１６の香り付けられたアタッチメントを含み、ここで、香りは、シールが破裂させられたとき、放出される。
【００６８】
例Ａ１８は、例Ａ１の香り付けられたアタッチメントを含み、ここで、香り付けられたアタッチメントは、缶と関連付けられる。
【００６９】
例Ａ１９は、例Ａ１８の香り付けられたアタッチメントを含み、ここで、香り付けられたアタッチメントは、缶が開かれたとき、香りを放出する。
【００７０】
香り付けられたアタッチメント（例Ａ２０）のいくつかの実施形態において、容器は、ものを保持するためのボディーであって、ボディーは、開口部以外の全ての側部において取り囲まれている、ボディーと、開口部の近くでボディー上に提供される香り付けられたアタッチメントと、取り外し可能に開口部を覆うキャップとを備えている。
【００７１】
（香り付けられたボトルキャップシステム、作製方法、および使用方法）
【００７２】
本技術の実施形態に従う香り付けられたアタッチメントのいくつかの様態において、香り付けられたボトルキャップシステムは、ボトルに取り付け可能な（例えば、ボトルのネックの周りに配置される）香り付けられたリングと、取り外し可能にボトルに取り付け可能なキャップとを含み、キャップは、キャップがボトルにしっかりと取り付けられた場合、キャップとボトルとの間の中空領域において香り付けられたリングを取り囲むように構成され、それによって、香り付けられたボトルキャップシステムは、キャップがボトルにしっかりと取り付けられた場合、香り付けられたリングからの香りを中空領域において閉じ込め、キャップがボトルから取り外し可能に切り離された場合、ボトルの近接環境へ香りを制御可能に放出する。香り付けられたボトルキャップシステムの実装において、例えば、香りは、揮発性化合物または集合体における一つ以上の化学薬剤を含むことができ、揮発性化合物または集合体における一つ以上の化学薬剤は、香り付けられたボトルキャップシステムのユーザーに心地良い匂いを提供し、心地良い匂いは、ユーザーの嗅覚系の対応する化学受容体を刺激してボトルの中の飲用可能な流体に対するユーザーの嗅覚および／または味覚を向上させる。例えば、匂い化合物または集合体は、（例えば、マトリックスにおいて担持される）油、液体もしくはゲル、または、樹脂もしくは粉末を含むことができる。様々な実施形態において、香り付けられたリングは、様々な方法によって香りを含むことができ、様々な方法は、例えば、リングを作るための作製工程中間、リングの材料の中に香りを取り込むことを含む。いくつかの実施形態において、例えば、香り付けられたリングは、プラスチック材料（例えば、ポリエチレン、ポリウレタン、または本明細書において説明される他の例の材料）を使用して作製されることができ、プラスチック材料は、香りを所望の濃度に作る匂い化合物または集合体とともに装填され、所望の濃度は、例えば、香りの種類を含む複数の変数（例えば、特定の香りの刺激性の程度）に基づいて選択されることができる。
【００７３】
図６は、香り付けられたボトルキャップシステムの例示的実施形態６００の分解図を特徴とする図解を示す。システム６００は、ボトル６３０のネックの終わり領域の周りに取りつくように構成されている香り付けられたリング６１０と、ボトル６３０にしっかりと取り付くキャップ６２０とを含み、キャップは、キャップ６２０の内部に形成され、ボトル６３０のネックから突出している周方向構造を有する中空領域または空洞の中に、香り付けられたリング６１０を取り囲む。
【００７４】
図６に示された例において、ボトル６３０は、ネックリングまたは遷移ねじとも呼ばれるカラー６３１を含み、カラー６３１は、ボトル６３０のネックの周りで外向きかつ周方向に突出している。ボトル６３０の例示的実施形態において、カラー６３１は、キャップ６２０の内部において中空領域または空洞を形成するために、キャップ６２０の底端部に接する周方向構造を提供する。ボトル６３０は、キャップを締める方向および緩める方向に捻ることによって、ボトル６３０にしっかりと取り付くための、かつボトル６３０からキャップ６２０を取り外し可能に切り離すための機構（例えば、オープナーの必要性をなくす）を提供するために、カラー６３１の上方でボトル６３０のネックの終わり領域の周りに巻き付く一組のねじ山６３２を含む。図８Ａに示されるように、キャップ６２０は、キャップ６２０の内部領域から突出している対応する一組のねじ山６２２を含み、ねじ山６２２は、取り付きおよび切り離しのために、ボトル６３０の一組のねじ山６３２と相互作用する。ボトル６３０は、ネックの端部において末端を含み、末端は、流体（例えば、水、ソーダ、牛乳、ジュース、アルコール飲料などの飲料）を含むボトルの内部に開口部を提供し、流体は、満たされ、開口部を通ってボトルから注がれる。末端は、末端の上部において、キャップ６２０の対応する密封表面６２３に接するように構築された密封表面６３３を提供し、図９に示されるように、例えば、キャップ６２０がボトル６３０にしっかりと取り付けられた場合、流体がボトル６３０から漏れ出すことを防ぐ。例えば、密封表面６３３は、滑らかであるように構築され、対応する密封表面６２３と接する場合、安定した密封を妨げるであろういかなる欠点もないように構築されており、対応する密封表面６３３も同様に構築されている。図６における例のような、ボトル６３０のいくつかの実施形態において、ボトル６３０は、リング６１０からの突出構造と接するために、ボトル６３０のネック上の位置から延びているレッジ構造６３５を含み、突出構造は、リング６１０がボトル６３０に取り付けられた場合、ボトル６３０に関する特定の位置においてリング６１０を整列させ、かつ／またはリング６１０を保持する。
【００７５】
図７は、香り付けられたリング６１０の例示的実施形態の図解を示す。香り付けられたリング６１０は、ボトル６３０のネックの周りなど、容器の円周の周りに嵌まるような形状およびサイズを含むように構築されている。例えば、香り付けられたリング６１０は、ボトル６３０のようなボトル、瓶などの様々な容器に嵌まるように、任意の所望の形状に作られることができ、任意の所望の形状は、規則的または不規則な寸法を含む、例えば、図７の例に示された環状のリングのような円形のリング、正方形または長方形のリング、三角形のリングなどを含む。
【００７６】
図７に示された例において、香り付けられたリング６１０は、香り付けられたリング６１０の内表面上に配置された一つ以上の突出構造６１１を含み、突出構造６１１は、「内アンカー」と呼ばれる。例えば、いくつかの実施形態において、香り付けられたリング６１０は、内表面の一つの軸または複数の軸に沿って配置された複数の内アンカー６１１を含むことができ、他方で、他の実施形態において、内アンカー６１１は、内表面の円周の一部または全体に及ぶ一つの突出構造であることができる。香り付けられたボトルキャップシステム６００のいくつかの実装において、内アンカー６１１は、ボトル６３０のネック上の一定の垂直位置において香り付けられたリング６１０を整列させ、かつ／または保持するために、ボトル６３０のレッジ構造６３５に接する。そのような実装において、例えば、内アンカー６１１と、ボトル６３０のレッジ構造６３５とによる香り付けられたリング６１０の整列は、キャップ６２０がボトル６３０から外された場合、香り付けられたリング６１０がボトル６３０に固定された（例えば、「据え付けられた」）ままであることを可能にする。さらに、例えば、内アンカー６１１は、香り付けられたリング６１０の表面積を拡張することができ、香り付けられたリング６１０から露出されることができる香りの濃度を制御し、それによって、キャップ６２０が取り外された場合におけるボトル６３０の周囲への香りの拡散に影響を与えるいくつかのパラメーターを制御するために、使用されることができる。
【００７７】
さらに、図７における香り付けられたリング６１０の例示的実施形態に示されるように、香り付けられたリング６１０は、香り付けられたリング６１０の外表面上に配置された一つ以上の突出構造６１２を含み、突出構造６１２は、「外アンカー」と呼ばれる。例えば、いくつかの実施形態において、香り付けられたリング６１０は、外表面の一つの軸または複数の軸に沿って配置された複数の外アンカー６１２を含むことができる。図７の例において、香り付けられたリング６１０は、各々がそれぞれの二つの場所（例えば、外表面上の上位置および下位置）において外表面の円周全体に及ぶ一つの突出構造として構成された、二つの外アンカー６１２を含む。香り付けられたボトルキャップシステム６００のいくつかの実装において、外アンカー６１２は、図８Ａに示される、キャップ６２０のリム構造６２５と接するように構成されている。外アンカー６１２は、整列に影響を与えることができ、かつ／または、一定の状況において（例えば、ボトルキャップシステム６００の中に含まれる飲料の作製中間）、キャップ６２０に関する一定の位置において香り付けられたリング６１０を保持することができる。実装において、例えば、外アンカー６１２は、香り付けられたリング６１０の表面積を拡張することができ、内アンカー６１１のように、香り付けられたリング６１０から露出されることができる香りの濃度を制御し、それによって、キャップ６２０が取り外された場合におけるボトル６３０の周囲への香りの拡散に影響を与えるいくつかのパラメーターを制御するために、使用されることができる。
【００７８】
例えば、香りは、例えば、射出成形などの製造工程を通して、香り付けられたリング６１０のボディーの中に取り込まれることができ、香りを形成する化学薬剤は、香り付けられたリング６１０の構造を形成する材料の中に埋め込まれる。他の実施形態において、例えば、香りは、（例えば、吹き付け塗装、印刷、または香り付けられたリング６１０を塗装する他の技術を介して）リングボディーに外装塗料を提供することによって、香り付けられたリング６１０上に作られることができる。実装において、香りは、香り付けられたリング６１０を囲む空気中に拡散することによって、香り付けられたリング６１０から発散する。概して、時間の経過に伴い、香りは、ユーザーが自分の口および鼻のほうにボトルネックを持ってゆく場合など、ユーザーの近くに置かれた場合、ユーザーの嗅覚を刺激するために効果的でない濃度に、最終的に拡散するであろう。従って、香り付けられたボトルキャップシステム６００は、香りの格納と、香り付けられたリング６１０からの香りの放出とを制御する構造を提供し、それによって、（ｉ）より長い持続時間および反復使用のために、香りを維持し、（ｉｉ）香りの発散のタイミングおよび濃度を、ボトル６３０内の飲料をユーザーが楽しむようにする理想的な瞬間に調節する。
【００７９】
図８Ａは、キャップ６２０の例示的実施形態の図解を示す。キャップ６２０は、終わり領域におけるボトル６３０のネックの周りなど、容器に留まるような形状およびサイズを含むように構築され、漏れ出し、またはボトル６３０の開口部を介する他の態様での漏出から、ボトル６３０内の物質を密封するように構築される。例えば、キャップ６２０の外部設計は、規則的または不規則な寸法を含む、図８Ａの例に示されるような筒形状、円錐形状、長方形状、三角形状などを含む任意の所望の形状に作られることができる。いくつかの実装において、キャップ６２０は、二つ以上のパーツを含むことができ、例えば、低減させられた重量、製造するためのより低いコスト、および／または所望の美観などの有利な特徴を提供することができる。
【００８０】
図８Ｂは、二部品キャップ６２０Ｂの例示的実施形態の図解を示し、二部品キャップ６２０Ｂは、オーバーキャップ６９０Ａと、ボトムキャップ６９０Ｂとを含み、オーバーキャップ６９０Ａとボトムキャップ６９０Ｂとは、ボトムキャップ６９０Ｂの外部上の歯６９１を介して互いに取り付き、歯６９１は、オーバーキャップ６９０Ａの内部上の突出柱６９３と整列し、接合する。ボトムキャップ６９０Ｂは、図８Ａに示されたキャップ６２０の例示的実施形態と同様の内部構成要素および構造を含む。いくつかの実施形態において、キャップ６２０は、キャップ６２０Ｂを含むことができ、オーバーキャップ６９０Ａおよびボトムキャップ６９０Ｂは、一体部品である。例えば、キャップ６２０Ｂのそのような実施形態は、製造工程において、オーバーキャップ６９０Ａおよびボトムキャップ６９０Ｂから一つのキャップ構造を形成すること（例えば、二部品を一体部品に成形または接着すること）を含むことができる。
【００８１】
再び図８Ａを参照すると、キャップ６２０は、上部（示されていない）と、湾曲壁６２７Ｗとを含み、湾曲壁６２７Ｗは、キャップ６２０の上部から延び、キャップ６２０の内部領域への開口部を形成する底端部において終わる。キャップ６２０の内部領域は、ボトル６３０および香り付けられたリング６１０と接合するための内部構造を有する中空にされた部分を含む。キャップ６２０の内部領域は、リム構造６２５が香り付けられたリング６１０の外アンカー６１２と接合するように構成されるように、湾曲壁６２７Ｗの底端部からのある位置において位置決定されるリム構造６２５を含む。例えば、リム構造６２５は、キャップ６２０およびリング６１０をボトル６３０と組み立てる前など、一定の状況下において外アンカー６１２を軽く支持するように形状決定され、キャップ６２０は、キャップ６２０が、その開口部が下に向けられた場合、香り付けられたリング６１０の吊り下げを支持することができる。そのような例示的実施形態において、例えば、リム構造６２５および／または外アンカー６１２がなければ、香り付けられたリング６１０は、その開口部が下に向けられた場合、キャップ６２０から落ち得る。
【００８２】
湾曲壁６２７Ｗの底端部は、キャップ６２０がボトル６３０にしっかりと取り付けられた場合、底端部の一部がカラー６３１に接し、ボトル６３０のカラー６３１とキャップ６２０との間において下方シールを提供するように構築されている。キャップ６２０は、内部領域において同心空間６２９を有するように構築され、同心空間６２９は、少なくともリム構造６２５と下方シールの場所との間にあることができる。図８Ａに示された例において、キャップ６２０は、下方シールを形成するために、ボトルのカラー６３１と接するために、キャップ６２０の内部領域の円周に及ぶリップ６２８を含む。キャップ６２０および香り付けられたリング６１０がボトル６３０上で組み立てられる場合、同心空間６２９は、図９に例示された中空容積９４０を提供し、香り付けられたリング６１０からの香りが中空容積９４０の中で拡散することを可能にし、キャップ６２０が取り外されるまで含まれることを可能にする。
【００８３】
図８Ａおよび図９に示された例などのいくつかの実施形態において、キャップ６２０は、キャップ６２０の上部から突起し、かつボトル６３０の開口部の側壁と整列するように構成されている筒状突起６２４を含む。例えば、筒状突起６２４は、図１０Ａに例示されるように、ボトルの開口部の内側壁に沿って矢状密封表面を提供する。
【００８４】
図９は、キャップ６２０と連結されている香り付けられたリング６１０の断面図を描く図解を示す。キャップ６２０が、上部が上に向けられ、キャップ６２０の開口部が下に向けられた場合、香り付けられたリング６１０が依然としてキャップ６２０の内部領域の中に存在するように、香り付けられたリング６１０は、切り離し可能にキャップ６２０に連結されている。リム構造６２５は、香り付けられたリング６１０がこの向きにおいてキャップ６２０の中に吊り下げられることを可能にする十分な支持を外アンカー６１２に提供する。壁６２７Ｗの内側部は、香り付けられたリング６１０の上側部が接することを可能にする受け取り表面６２７Ｓを含む。例えば、キャップ６２０の構造とリング６１０とは、リング６１０が、ボトル６３０との組み立ての前に（例えば、飲料を作って詰めるボトル詰め工程中間など）キャップ６２０に予め装填されることを可能にする。予め装填する工程のいくつかの実装において、キャップ６２０は、開口部が上を向き、上部が下を向くように、反対向きにされることができる。香り付けられたリング６１０は、リング６１０が受け取り表面６２７Ｓと接するまで内部の中に押されるように、例えば、自動機械または手動によって、キャップ６２０の内部の中に固定されることができ、外アンカー６１２は、リム構造６２５を跨ぎ、壁６２７Ｗの内側部の一致する凹部内において整列するであろう。受け取り表面６２７Ｓは、リング６１０をこの位置に置くための様々な段階の力を可能にしながら、リム構造６２５を通過させられる外アンカー６１２の整列、およびキャップ６２０の凹部に一致することにおいて、補助することができる。
【００８５】
図１０Ａは、香り付けられたリング６１０と、キャップ６２０と、ボトル６３０とが組み立てられた場合における、香り付けられたボトルキャップシステム６００の断面図を描く図解を示す。この構成において、香り付けられたリング６１０は、レッジ構造６３５の下の内アンカー６１１の位置付けに基づいて、ボトル６３０のネックの周りにしっかりと取り付けられている。例えば、香りリング６１０がキャップ６２０において予め装填される場合、キャップ６２０は、リング６１０がキャップ６２０から離れ、ボトル６３０にしっかりと取り付くように、最初ボトル６３０に取り付けられることができる（例えば、飲料生産のボトル詰め工程中間）。いくつかの実装において、キャップ６２０は、ボトル６３０の一組のねじ山６３２と、キャップ６２０の対応する一組のねじ山６２２とを介して、ボトル６３０上で捻られる。キャップ６２０がボトル６３０上で捻られているとき、香り付けられたリング６１０は、内アンカー６１１がレッジ構造６３５を越えて押されるように、終わり領域に沿って下に駆動される。図１０Ａに示された例において、レッジ構造６３５は、レッジ構造６３５の上方側における傾斜部分と、レッジ構造６３５の下方側における、ボトル６３５のネックと垂直な平坦部分とを含むことができ、内アンカー６１１においてリング６１０がボトル６３５のネックから離れることを防止する。キャップ６２０が緩める方向に捻られた場合、香り付けられたリング６１０は、キャップ６２０との連結から離れることができるが、ボトル６３０上に依然として残ることができる。
【００８６】
図１０Ｂは、図１０Ａからの、キャップ６２０の密封表面６２３とボトル６３０の密封表面６３３との間の接合の拡大図を示す。キャップ６２０がボトル６３０にしっかりと取り付けられた（例えば、完全に締める方向に捻られた）場合、ボトル６３０の密封表面６３３は、キャップ６２０の対応する密封表面６２３に接する。同様に、随意の筒状突起６２４は、ボトル６３０の開口部の側壁に接する。
【００８７】
図１０Ｃは、図１０Ａに示されるような、香り付けられたリング６１０の外アンカー６１２とキャップ６２０のリム構造６２５との間の接合と、香り付けられたリング６１０の内アンカー６１１とボトル６３０のレッジ構造６３５との間の接合との拡大図を示す。例えば、レッジ構造６３５は、（例えば、ボトル６３０との組み立ての前の、キャップ６２０との香り付けられたリング６１０の組み立て中間）香り付けられたリング６１０がしっかりと取り付くことを可能にする角度に構成されることができ、香り付けられたリング６１０の内アンカー６１１は、レッジ構造６３５の下になるまで、レッジ構造６３５の上側を効果的にスライドして落ちる。いくつかの実施形態において、例えば、レッジ構造６３５の上部の角度は、実質的に１３５°など、１２０°〜１５０°の範囲にある。いくつかの実施形態において、例えば、レッジ構造６３５の上部の角度は、１０５°以上〜１６５°以下の範囲にある。
【００８８】
図１０Ｄは、図１０Ａからの、キャップ６２０のリップ６２８とボトル６３０のカラー６３１との間の接合の拡大図を示す。キャップ６２０がボトル６３０にしっかりと取り付くけられた場合、キャップ６２０のリップ６２８は、ボトル６３０のカラー６３１と接しており、中空容積９４０を作り出す下方シールを形成する。中空容積９４０は、キャップ６２０が閉じられた場合、香り付けられたリング６１０から容積９４０の中に拡散する香りを集めるためのチャンバーを提供する。閉位置において、香りは、香り付けられたボトルキャップシステム６００の中に閉じ込められ、含まれる。キャップ６２０がボトル６３０から取り外された（例えば、緩める方向に捻られた）場合、特に、ユーザーがキャップ６２０を取り外し、ボトル６３０内の飲料を飲むために、ボトル６３０を口のほうに持ってゆく場合、ユーザーは、香りの最初の飛散を経験することができる。香りは、ボトル６３０に取り付けられた香りリング６１０から発散し続け、その後に飲料を飲む間、ユーザーの感覚を刺激し続ける。
【００８９】
キャップ６２０とボトル６３０との間の空間において形成される中空容積９４０を提供する区画は、キャップ６２０とボトル６３０との構造部品のサイズおよび形状に基づいて構成されることができる。中空容積９４０を含む区画は、キャップ６２０がボトル６３０上で閉じられた（例えば、締め付けられた）場合、香り付けられたリング６１０から発散する香りを集め、閉じ込めるように構成されている。例えば、システム６００は、キャップ６２０がボトル６３０上で閉じられた場合（例えば、飲料を飲む合間も含む）、香りを閉じ込めて、ユーザーがキャップを開けて次の一口を飲んだ場合、香りの飛散効果を作り出すように構成されている。図１０Ａに示された例示的実施形態に例示されるように、中空容積９４０を含む区画は、キャップ６２０とボトル６３０との間の空間において、一つ以上の領域またはサブ区画を含むことができ、一つ以上の領域またはサブ区画は、例えば、以下を含む。（ｉ）キャップ６２０のリム構造６２５とボトル６３０のカラー６３１との間における、香り付けられたリング６１０の外壁と、カラー６３１と、キャップ６２０の壁６２７Ｗの内面との間の下方領域９４０Ａ、（ｉｉ）リング６１０がレッジ構造６３５とカラー６３１との間に位置付けられている場合における、香り付けられたリング６１０の内壁とボトル６３０のネックとの間の中間領域９４０Ｂ、および、（ｉｉｉ）香り付けられたリング６１０の内壁と、レッジ構造６３５の上方部分と、キャップ６２０およびボトル６３０のねじ山６２２とねじ山６３２との交点との間の上方領域９４０Ｃ。例のサブ区画領域９４０Ａ、９４０Ｂおよび９４０Ｃのうちの各々を含む中空容積９４０は、香り付けられたリング６１０からの揮発性の香りの所望の濃度を捕捉するための特定の容積、または特定の範囲の容積を有するように構築されることができる。例えば、図１０Ａに示される実施形態などの一定の実施形態において、中空容積９４０の下方領域は、約３，０００ｍｍ３以下〜約１，０００ｍｍ３以上の範囲にあり得る。いくつかの実施形態において、例えば、システム６００によって形成される中空容積は、約１５，０００ｍｍ３以下〜約１００ｍｍ３以上の範囲にあり得、ボトル６３０のネックの特徴に接合する壁６２７Ｗの内面に沿った構造のサイズおよび形状に基づいて構成されることができる。
【００９０】
図１１Ａは、香り付けられたリング１１１０の例示的実施形態の図解を示す。香り付けられたリング１１１０は、香り付けられたリング６１０の構造を含み、リング１１１０の表面に関して内向きに陥没しているディンプル１１１１（例えば、孔）、および／またはリング１１１０の表面に関して外向きに突出しているバンプ１１１２（例えば、突出）も含む。ディンプル１１１１および／またはバンプ１１１２は、例えば、規則的もしくは不規則な位置付けのアレイを含む様々な配列において、またはランダムに、リング１１１０の表面に沿って編成されることができる。例えば、ディンプルおよび／またはバンプ１１１２は、追加的な表面積を香り付けられたリング１１１０に提供し、追加的な表面積は、外部環境（例えば、空気）に露出される香りの濃度を増加させることができ、それによって、ユーザーへの香りの送達を向上させることができる。いくつかの実施形態において、例えば、ディンプル１１１１および／またはバンプ１１１２は、広告または製品の差別化の形態としての文字、形状、または記号を作り出すために使用されることができる。
【００９１】
いくつかの実装において、ディンプル１１１１および／またはバンプ１１１２は、香り付けられたリング１１１０から近接環境に発散する香りの方向に影響を与えるような、サイズおよび／または形状に形成され、香り付けられたリング１１１０上に配列される。例えば、ユーザーによる飲料を飲むためのボトル６３０の動きは、香り付けられたリング１１１０における気流を増加させることができ、ディンプル１１１１およびバンプ１１１２における香りの揮発性に影響を与えることができる。さらに、例えば、ディンプル１１１１は、キャップ６２０がボトル６３０から取り外された場合、香りの噴散性質に影響を与えるために、リング１１１０を通過する穴、またはリング１１１０のボディーの中の中空にされたチャンバーにおいて終わる穴として構築されることができる。いくつかの実装において、ディンプル１１１１は、ボトル６３０にしっかりと取り付けられた場合、キャップ６２０と接している、香り付けられたリング１１１０の領域上に配列される（例えば、リム構造６２５に接する外アンカー６１２に沿って配列されるなど）ことができる。そのような実装において、香りは、中空にされたチャンバー内に閉じ込められることができ、香りの放出は、制御されることができ、ディンプル１１１１を通って外部環境（例えば、ユーザーの鼻および口の近く）へ向かう香りの噴散性質の原因となる。いくつかの実装において、バンプ１１１２も、ユーザーの嗅覚系の感覚を向上させるために、香りの噴散性質に影響を与えるように構築されることができる。
【００９２】
図１１Ｂは、香り付けられたリング１１２０の例示的実施形態の図解を示し、香り付けられたリング１１２０は、香りを閉じ込めるための中空にされたチャンバー１１１５を含み、中空にされたチャンバー１１１５は、香りの放出のための外通路を有し、チャンバー１１１５から外部環境（例えば、ユーザーの鼻および口の近く）への香りの噴散性質の原因となる。例えば、チャンバー１１１５は、ユーザーの嗅覚系の感覚を向上させ、それによって飲用の経験を向上させるために、香りの噴散性質に影響を与えるように構築されることができる。いくつかの実施形態において、香り付けられたリング１１２０は、外通路が、香り付けられたリング１１２０の内壁、香り付けられたリング１１２０の外壁、または香り付けられたリング１１２０の内壁と外壁との両方において開口部を形成するような、チャンバー１１１５の配列を含むことができる。例えば、チャンバー１１１５は、外通路が香り付けられたリング１１２０の上表面および／または底表面上に開口部を形成するように構成されることができる。実装において、例えば、ユーザーが、飲用流体を飲むために、取り付けられている香り付けられたリング１１２０を有するボトル６３０を顔のほうに持ってゆくとき、空気は、チャンバー１１１５の中に素早く流入し得、それによって、チャンバー１１１５の構造と、香りの噴散に影響を与えるための外通路とによる、香り付けられたリング１１１５から発散する香りの向上させられた効果を経験する。香り付けられたリング１１２０は、香り付けられたリング６１０および／または１１１０の類似の構造を含むことができ、類似の構造は、例えば、内アンカー６１１、外アンカー６１２、ならびに／または、ディンプル１１１１および／もしくはバンプ１１１２を含む。
【００９３】
図１２Ａは、香り付けられたリング１２００の例示的実施形態の図解を示す。香り付けられたリング１２００は、外アンカー６１２を有しないことを除いて、香り付けられたリング６１０または香り付けられたリング１１１０の構造を含む。
【００９４】
図１２Ｂは、香り付けられたリング１２１０の例示的実施形態の図解を示す。香り付けられたリング１２１０は、香り付けられたリング６１０または香り付けられたリング１１１０の構造を含み、切り取り領域１２１５も含む。この実施形態は、香り付けられたＣリングと呼ばれることができる。例えば、香り付けられたＣリング１２１０は、（例えば、予め装填するために）キャップ６２０に切り離し可能に連結される構造、および、ボトル上のリングに予め装填されたキャップの最初の取り付けの後、ボトル６３０にしっかりと取り付けられるような構造を依然として提供するが、さらに、切り取り領域１２１５に基づいて、香り付けられたＣリング１２１５がユーザーによって選択的に切り離されることも可能にする。香り付けられたリングの様々な実施形態が、柔軟な材料を含むことができる。香り付けられたＣリング１２１０の例示的実施形態において、材料は、香り付けられたＣリング１２１０が切り取り領域１２１５に基づいてボトル６３０のレッジ構造６３５の直径を超えるために十分な間隙を有するように、Ｃリング構造がわずかに曲がることを可能にすることができる。例えば、香り付けられたＣリング１２１０は、柔軟な材料を含み、柔軟な材料は、香り付けられたＣリング１２１０が、拡張してボトル６３０のレッジ構造６３５の直径を超えるために、少なくとも切り取り領域１２１５のために十分な間隙を有する程度曲がることを可能にし、それによって、香り付けられたＣリング１２１０は、ボトル６３０から離れることができる。実装において、例えば、香り付けられたＣリング１２１０は、ユーザーが、自分が選択するとおりに香り付けられたリングを交換することを可能にすることができ、同様に、製造者がボトルと別々に香り付けられたリングを販売することを可能にすることができる。
【００９５】
図１２Ｃは、内アンカー６１１と切り取り領域１２１５とを含む香り付けられたＣリング１２２０の例示的実施形態の図解を示す。実装において、例えば、香り付けられたＣリング１２２０は、ユーザーが、自分が選択するとおりに香り付けられたリングを交換することを可能にすることができ、同様に、製造者がボトルと別々に香り付けられたリングを販売することを可能にすることができる。
【００９６】
本技術の実施形態に従う容器のための香り付けられたアタッチメントのいくつかの様態において、ボトル内に含まれる流体（例えば、飲料）でボトルを満たすための香り付けられたボトルキャップシステムを製造する方法と、キャップおよび香り付けられたリングを単一ステップでボトルに取り付ける方法とが開示されている。
【００９７】
図１３は、システム６００の様々な実施形態など、香り付けられたボトルキャップシステムを製造する方法１３００の例示的実施形態のフロー図を示す。方法１３００は、香り付けられたリング（例えば、香り付けられたリング６１０、１１１０、１２００または１２１０）をキャップ（例えば、キャップ６２０）の内部領域に連結して、リング−キャップアセンブリを作るための工程１３１０を含む。工程１３１０のいくつかの実装において、例えば、香り付けられたリングは、リング−キャップアセンブリがキャップの内部領域において香り付けられたリングをしっかりと含む（例えば、キャップが、キャップの開口部が下向きに向けられた場合であっても、香り付けられたリングを内部領域に保つ）ように、キャップに切り離し可能に連結される。例えば、香り付けられたリングの外部突出構造とキャップの内部突出（例えば、リム）構造との間における接触に基づいて、香り付けられたリングがキャップに最初に連結するように、香り付けられたリングは、ボトルとのリング−キャップアセンブリの最初の取り付けの前に、キャップに切り離し可能に連結するように構成されており、それによって、キャップが最初にボトルに留められた場合、香り付けられたリングは、例えば、香り付けられたリングの内部突出構造とボトルのネックから延びているレッジ特徴などの突起構造との間における接触に基づいて、キャップに連結されていることからボトルに連結されていることに遷移する。
【００９８】
方法１３００は、反対向きにされていない位置（すなわち、キャップの開口部が下向きである位置）にリング−キャップアセンブリを向けるための工程１３２０を含み、香り付けられたリングは、キャップの内部領域の中にしっかりと含まれている。方法１３００は、ボトルを流体（例えば、水、牛乳、ジュース、スポーツドリンク、アルコール飲料などの飲料）で満たすための工程１３３０を含む。方法１３００は、リング−キャップアセンブリをボトルにしっかりと取り付けて、リング−キャップ−ボトルアセンブリを形成するための工程１３４０を含み、香り付けられたリングは、ボトルに取り付き、キャップの内部とボトルのネックの外部との間において形成される区画の中に取り囲まれ、キャップは、ボトルから切り離し可能であり、香り付けられたリングから連結解除する。工程１３４０の実装において、リング−キャップアセンブリは、単一ステップでボトルに取り付けられる。例えば、方法１３００は、既存のボトル詰め工程の設定およびインフラストラクチャーへの格別な修正なしに工程１３２０、１３３０および１３４０を行うために、既存のボトル工場における従来の機械設備または自動設備を使用して飲料の「ボトル詰め工程」が行われることを可能にし、それによって、コストを節約する様式で、開示された技術に従う香り付けられたボトルキャップシステムを使用する、香りが向上させられた飲料の大量生産を可能にする。リング−キャップ−ボトルアセンブリは、（ｉ）ボトルの中に満たされた飲料を含み、（ｉｉ）区画の中に香りを含み、維持し、ユーザーがボトルからキャップを開けることを選択するまで、香りが逃げることを防ぎ、（ｉｉｉ）ユーザーの嗅覚系を刺激し、ユーザーによる飲料の楽しみを向上させるための、香りの発散に影響を与えるシステムを形成する。
【００９９】
いくつかの実施形態において、例えば、方法１３００は、流体を含む作られたリング−キャップ−ボトルアセンブリにタンパーシール（例えば、スティッカー）を取り付けるための工程を含み、例えば、リング−キャップ−ボトルアセンブリに含まれた流体が混ぜ物をされておらず、開封されていないということをユーザーに示すものを提供する。いくつかの実装において、例えば、タンパーシールは、ボトルとのキャップの接合の一部、または接合の周り全体において貼付される。いくつかの実施形態において、例えば、方法１３００は、一つ以上のラベルをボトルに貼付するための工程を含む。
【０１００】
（例）
【０１０１】
容器のための香り付けられたアタッチメントの例は、下記を含む。
【０１０２】
いくつかの例示的実施形態において、飲料容器のための香り送達システム（例Ｂ１）は、流体飲料を含むためのボトルであって、ボトルは、ボディー領域とネック領域とを含むように構築され、ボトルは、ネック領域の周りで外向きかつ周方向に延びているカラーと、ネック領域の周りで外向きかつ周方向に延び、カラーの上方に位置付けられたレッジ構造とを含む、ボトルと、香りリングのボディーから発散して香りを生み出すための揮発性化学薬剤で装填されるボディーを含む香りリングであって、香りリングは、香りリングのボディーの内壁から突起している少なくとも一つの内部突出構造を含むように構築され、香りリングは、香りリングの少なくとも一つの内部突出構造とボトルのレッジ構造との間における接触に基づいて、ボトルのネック領域の周りに留まるように構成され、少なくとも一つの内部突出構造は、レッジ構造の下方に位置付けられている、香りリングと、可逆的にボトルに取り付け可能なキャップであって、キャップは、キャップの内部キャップ壁から、かつその周りで周方向に突起している内部リム構造を含み、キャップは、キャップがボトルにしっかりと留められた場合、ボトルのカラーとキャップの内部リム構造との間で形成される区画の中に香りリングを取り囲むように構築されている、キャップとを含み、システムは、キャップがボトルにしっかりと取り付けられた場合、香りリングからの香りを区画の中に閉じ込めるように構成され、キャップがボトルから切り離された場合、ボトルの外部環境に香りを放出するように構成されている。
【０１０３】
例Ｂ２は、例Ｂ１のシステムを含み、ここで、香りリングは、香りリングのボディーの外壁から突起している少なくとも一つの外部突出構造を含む。
【０１０４】
例Ｂ３は、例Ｂ２のシステムを含み、ここで、香りリングは、ボトルへのキャップおよび香りリングの最初の取り付けの前に、キャップに切り離し可能に連結するように構成され、香りリングは、香りリングの少なくとも一つの外部突出構造とキャップの内部リム構造との間における接触に基づいて、最初にキャップに連結し、キャップが最初にボトルに留められた場合、香りリングは、香りリングの少なくとも一つの内部突出構造とボトルのレッジ構造との間における接触に基づいて、キャップに連結されていることからボトルに連結されていることに遷移する。
【０１０５】
例Ｂ４は、例Ｂ１のシステムを含み、ここで、香りリングは、キャップまたはボトルによる物理的接触なしに香りを生み出すように、使用可能である。
【０１０６】
例Ｂ５は、例Ｂ１のシステムを含み、ここで、システムは、ユーザーがキャップをボトルに取り付け、切り離す複数の場合にわたって、香りリングによって生み出された香りを区画に閉じ込めることと、香りを外部環境に放出することとを繰り返し行うように使用可能である。
【０１０７】
例Ｂ６は、例Ｂ１のシステムを含み、ここで、少なくとも一つの内部突出構造は、香りリングの内壁の少なくとも一部に沿って周方向に及ぶ一つの内部突出構造を含む。
【０１０８】
例Ｂ７は、例Ｂ１のシステムを含み、ここで、少なくとも一つの内部突出構造は、香りリングの内壁に沿って周方向に、断続的または規則的に及ぶ複数の内部突出構造を含む。
【０１０９】
例Ｂ８は、例Ｂ７のシステムを含み、ここで、複数の内部突出は、互いに等間隔にされた二つ以上の内部突出構造を含む。
【０１１０】
例Ｂ９は、例Ｂ１のシステムを含み、ここで、カラーは、ネック領域の表面から下に傾く上側部を有するように構築され、カラーは、ネック領域に実質的に垂直な底側部を有するように構築されている。
【０１１１】
例Ｂ１０は、例Ｂ１のシステムを含み、ここで、キャップは、キャップがボトルを締める方向および緩める方向に捻ることを可能にするために、ボトルのネック上の対応するねじ山と接合する、内部キャップ壁上のねじ山を含むように構築されている。
【０１１２】
例Ｂ１１は、例Ｂ１のシステムを含み、ここで、香りリングは、香りリングのボディーの表面に関して内向きに陥没している一つ以上の孔を含む。
【０１１３】
例Ｂ１２は、例Ｂ１１のシステムを含み、ここで、一つ以上のディンプルは、規則的または不規則な位置のアレイにおいて香りリングのボディーの表面に沿って配列された複数のディンプル、またはランダムに位置付けられた複数のディンプルを含む。
【０１１４】
例Ｂ１３は、例Ｂ１のシステムを含み、ここで、香りリングは、香りリングのボディーの表面に関して外向きに突出している一つ以上の突出を含む。
【０１１５】
例Ｂ１４は、例Ｂ１３のシステムを含み、ここで、一つ以上の突出は、規則的または不規則な位置のアレイにおいて香りリングのボディーの表面に沿って配列された複数の突出、またはランダムに位置付けられた複数の突出を含む。
【０１１６】
例Ｂ１５は、例Ｂ１のシステムを含み、ここで、香りリングは、香りリングがボトルに切り離し可能に連結されることを可能にするために、ボディーを横切る切り取り領域を含み、それによって、香りリングがボトルから選択的に切り離し可能である。
【０１１７】
例Ｂ１６は、例Ｂ１５のシステムを含み、ここで、香りリングは、柔軟な材料を含み、柔軟な材料は、香りリングが、拡張してボトルのレッジ構造の直径を超えるために、少なくとも切り取り領域のために十分な間隙を有する程度曲がることを可能にし、それによって、香りリングは、ボトルから離れる。
【０１１８】
例Ｂ１７は、例Ｂ１のシステムを含み、ここで、香りリングは、香りを閉じ込めるための一つ以上の中空にされたチャンバーを含み、一つ以上の中空にされたチャンバーは、キャップがボトルから切り離された場合の噴散を介したボトルの外部環境への香りの放出のための外通路を有する。
【０１１９】
例Ｂ１８は、例Ｂ１のシステムを含み、ここで、区画は、複数のサブ区画を含み、それによって、香りリングの異なる部分は、異なるサブ区画の中空容積に露出される。
【０１２０】
例Ｂ１９は、例Ｂ１８のシステムを含み、ここで、複数のサブ区画は、（ｉ）内部リム構造とカラーとの間において、香りリングの外壁と、ボトルのカラーと、キャップの内部キャップ壁の一部との間に位置決定される下方サブ区画、（ｉｉ）香りリングがレッジ構造とカラーとの間に位置付けられている場合における、香りリングの内壁とボトルのネック領域との間に位置決定される中間サブ区画、および（ｉｉｉ）香りリングの内壁と、レッジ構造の上側部から、ボトルのネック領域上の対応するねじ山と接合する内部キャップ壁上のねじ山の交点までの、ボトルのネック領域の一部と、ねじ山の交点と香りリングとの間におけるキャップの内部キャップ壁の一部との間に位置決定される上方サブ区画を含む。
【０１２１】
例Ｂ２０は、例Ｂ１のシステムを含み、ここで、区画は、キャップがボトルにしっかりと取り付けられている場合、香りリングから発散する香りを閉じ込め区画において香りを濃縮するように構成された中空容積を含み、それによって、キャップがボトルから切り離された後に濃縮された香りがボトルの外部環境に放出される。
【０１２２】
例Ｂ２１は、例Ｂ２０のシステムを含み、ここで、中空容積は、１ｍｍ３〜３ｍｍ３の範囲にある。
【０１２３】
例Ｂ２２は、例Ｂ１のシステムを含み、ここで、システムは、ユーザーによってボトルから飲まれた場合における流体飲料の知覚される味を増大させるために、外部環境に香りを放出するように構成されている。
【０１２４】
例Ｂ２３は、例Ｂ２１のシステムを含み、ここで、香りは、ユーザーの嗅覚系の化学受容体を刺激して、流体飲料に対するユーザーの嗅覚または味覚を向上させるように使用可能である匂い化学薬剤を含む。
【０１２５】
いくつかの例示的実施形態において、飲料容器のための香り送達システム（例Ｂ２４）は、流体飲料を含むためのボトルであって、ボトルは、ボディー領域およびネック領域を含むように構築され、ボトルは、ネック領域の周りで外向きかつ周方向に延びているカラーと、ネック領域の周りで外向きかつ周方向に延び、カラーの上方に位置付けられたレッジ構造とを含む、ボトルと、ボトルの開口部を可逆的に密封するために、ネック領域においてボトルに可逆的に取り付け可能であるボトルキャップ器具とを含む。ボトルキャップ器具は、香りを生み出すための香りリングのボディーから発散する揮発性化学薬剤で装填されるボディーを含む香りリングであって、香りリングは、香りリングのボディーの内壁から突起している少なくとも一つの内部突出構造を含むように構築され、香りリングは、香りリングの少なくとも一つの内部突出構造とボトルのレッジ構造との間における接触に基づいて、ボトルのネック領域の周りに留まるように構成され、少なくとも一つの内部突出構造は、レッジ構造の下方に位置付けられ、香りリングは、香りリングのボディーの外壁から突起している少なくとも一つの外部突出構造を含むように構築される、香りリングと、キャップの内部キャップ壁から、かつその周りで周方向に突起している内部リム構造を含むキャップであって、キャップは、キャップがボトルにしっかりと留められた場合、ボトルのカラーとキャップの内部リム構造との間で形成される区画の中に香りリングを取り囲むように構築される、キャップとを含む。システムは、キャップがボトルにしっかりと取り付けられた場合、香りリングからの香りを区画の中に閉じ込めるように構成され、キャップがボトルから切り離された場合、ボトルの外部環境に香りを放出するように構成されている。システムにおいて、香りリングは、ボトルとのボトルキャップ器具の最初の取り付けの前に、キャップに切り離し可能に連結するように構成され、香りリングは、香りリングの少なくとも一つの外部突出構造とキャップの内部リム構造との間における接触に基づいて、最初にキャップに連結し、キャップが最初にボトルに留められた場合、香りリングは、香りリングの少なくとも一つの内部突出構造とボトルのレッジ構造との間における接触に基づいて、キャップに連結されていることからボトルに連結されていることに遷移する。
【０１２６】
例Ｂ２５は、例Ｂ２４のシステムを含み、ここで、区画は、キャップがボトルにしっかりと取り付けられている場合、香りリングから発散する香りを閉じ込め区画において香りを濃縮するように構成された中空容積を含み、それによって、キャップがボトルから切り離された後に濃縮された香りがボトルの外部環境に放出される。
【０１２７】
例Ｂ２６は、例Ｂ２４のシステムを含み、ここで、香りリングは、キャップまたはボトルによる物理的接触なしに香りを生み出すように、使用可能である。
【０１２８】
例Ｂ２７は、例Ｂ２４のシステムを含み、ここで、システムは、ユーザーがキャップをボトルに取り付け、切り離す複数の場合にわたって、香りリングによって生み出された香りを区画に閉じ込めることと、香りを外部環境に放出することとを繰り返し行うように使用可能である。
【０１２９】
例Ｂ２８は、例Ｂ２４のシステムを含み、ここで、少なくとも一つの内部突出構造は、香りリングの内壁の少なくとも一部に沿って周方向に及ぶ一つの内部突出構造を含む。
【０１３０】
例Ｂ２９は、例Ｂ２４のシステムを含み、ここで、少なくとも一つの内部突出構造は、香りリングの内壁に沿って周方向に、断続的または規則的に及ぶ複数の内部突出構造を含む。
【０１３１】
例Ｂ３０は、例Ｂ２９のシステムを含み、ここで、複数の内部突出は、互いに等間隔にされた二つ以上の内部突出構造を含む。
【０１３２】
例Ｂ３１は、例Ｂ２４のシステムを含み、ここで、カラーは、ネック領域の表面から下に傾く上側部を有するように構築され、カラーは、ネック領域に実質的に垂直な底側部を有するように構築されている。
【０１３３】
例Ｂ３２は、例Ｂ２４のシステムを含み、ここで、キャップは、キャップがボトルを締める方向および緩める方向に捻ることを可能にするために、ボトルのネック上の対応するねじ山と接合する、内部キャップ壁上のねじ山を含むように構築されている。
【０１３４】
例Ｂ３３は、例Ｂ２４のシステムを含み、ここで、香りリングは、香りリングのボディーの表面に関して内向きに陥没している一つ以上の孔を含む。
【０１３５】
例Ｂ３４は、例Ｂ３３のシステムを含み、ここで、一つ以上のディンプルは、規則的または不規則な位置のアレイにおいて香りリングのボディーの表面に沿って配列された複数のディンプル、またはランダムに位置付けられた複数のディンプルを含む。
【０１３６】
例Ｂ３５は、例Ｂ２４のシステムを含み、ここで、香りリングは、香りリングのボディーの表面に関して外向きに突出している一つ以上の突出を含む。
【０１３７】
例Ｂ３６は、例Ｂ３５のシステムを含み、ここで、一つ以上の突出は、規則的または不規則な位置のアレイにおいて香りリングのボディーの表面に沿って配列された複数の突出、またはランダムに位置付けられた複数の突出を含む。
【０１３８】
例Ｂ３７は、例Ｂ２４のシステムを含み、ここで、香りリングは、香りリングがボトルに切り離し可能に連結されることを可能にするために、ボディーを横切る切り取り領域を含み、それによって、香りリングがボトルから選択的に切り離し可能である。
【０１３９】
例Ｂ３８は、例Ｂ３７のシステムを含み、ここで、香りリングは、柔軟な材料を含み、柔軟な材料は、香りリングが、拡張してボトルのレッジ構造の直径を超えるために、少なくとも切り取り領域のために十分な間隙を有する程度曲がることを可能にし、それによって、香りリングは、ボトルから離れる。
【０１４０】
例Ｂ３９は、例Ｂ２４のシステムを含み、ここで、香りリングは、香りを閉じ込めるための一つ以上の中空にされたチャンバーを含み、一つ以上の中空にされたチャンバーは、キャップがボトルから切り離された場合の噴散を介したボトルの外部環境への香りの放出のための外通路を有する。
【０１４１】
例Ｂ４０は、例Ｂ２４のシステムを含み、ここで、区画は、複数のサブ区画を含み、それによって、香りリングの異なる部分は、異なるサブ区画の中空容積に露出される。
【０１４２】
例Ｂ４１は、例Ｂ４０のシステムを含み、ここで、複数のサブ区画は、（ｉ）内部リム構造とカラーとの間において、香りリングの外壁と、ボトルのカラーと、キャップの内部キャップ壁の一部との間に位置決定される下方サブ区画、（ｉｉ）香りリングがレッジ構造とカラーとの間に位置付けられている場合における、香りリングの内壁とボトルのネック領域との間に位置決定される中間サブ区画、および（ｉｉｉ）香りリングの内壁と、レッジ構造の上側部から、ボトルのネック領域上の対応するねじ山と接合する内部キャップ壁上のねじ山の交点までの、ボトルのネック領域の一部と、ねじ山の交点と香りリングとの間におけるキャップの内部キャップ壁の一部との間に位置決定される上方サブ区画を含む。
【０１４３】
例Ｂ４２は、例Ｂ２４のシステムを含み、ここで、区画は、キャップがボトルにしっかりと取り付けられている場合、香りリングから発散する香りを閉じ込め区画において香りを濃縮するように構成された中空容積を含み、それによって、キャップがボトルから切り離された後に濃縮された香りがボトルの外部環境に放出される。
【０１４４】
例Ｂ４３は、例Ｂ４２のシステムを含み、ここで、中空容積は、１ｍｍ３〜３ｍｍ３の範囲にある。
【０１４５】
例Ｂ４４は、例Ｂ２４のシステムを含み、ここで、システムは、ユーザーによってボトルから飲まれた場合における流体飲料の知覚される味を増大させるために、外部環境に香りを放出するように構成されている。
【０１４６】
例Ｂ４５は、例Ｂ４４のシステムを含み、ここで、香りは、ユーザーの嗅覚系の化学受容体を刺激して、流体飲料に対するユーザーの嗅覚または味覚を向上させるように使用可能である匂い化学薬剤を含む。
【０１４７】
いくつかの例示的実施形態において、香り付けられたボトルキャップシステム（例Ｂ４６）を製造する方法は、香りリングをキャップの内部領域に連結して、リング−キャップアセンブリを作ることと、内部領域へのキャップの開口部が下向きである位置にリング−キャップアセンブリを向けることであって、香りリングがキャップの内部領域の中にしっかりと含まれている、ことと、ボトルを流体で満たすことと、リング−キャップアセンブリをボトルにしっかりと取り付けることであって、香りリングがボトルに取り付き、キャップの内部領域とボトルのネック部分の外部領域との間で形成される区画の中に取り囲まれ、リング−キャップアセンブリが単一ステップでボトルに取り付けられ、キャップがボトルから切り離し可能であり、ボトルからの最初の切り離しのときに、リングから連結解除する、こととを含む。
【０１４８】
例Ｂ４７は、例Ｂ４６の方法を含み、ここで、香りリングをキャップに取り付けることは、香りリングの外部突出構造がキャップの内部突出構造を越えて挿入されるように、香りリングをキャップの内部領域に挿入することを含む。
【０１４９】
例Ｂ４８は、例Ｂ４６の方法を含み、ここで、リング−キャップアセンブリが最初にボトルに取り付けられた場合、香りリングは、キャップに連結されていることからボトルに連結されていることに遷移し、香りリングとボトルとの間の取り付けは、香りリングの内部突出構造と、ボトルのネック部分の外部領域から延びている突起構造との間の接触に基づいている。
【０１５０】
いくつかの例示的実施形態において、香り付けられたボトルキャップ器具（例Ｃ１）は、カラーを有するボトルのネックの周りに取り付く香りリングであって、香りリングは、香りリングのボディーから発散して香りを生み出すための揮発性化学薬剤で装填されるボディーを含む、香りリングと、ボトルに取り外し可能に取り付くキャップであって、キャップは、キャップがボトルにしっかりと取り付けられた場合、ボトルのカラーとキャップの内部との間で形成される区画の中に香りリングを取り囲むように構築されている、キャップとを含み、システムは、キャップがボトルにしっかりと取り付けられた場合、香りリングからの香りを区画の中に閉じ込めるように構成され、キャップからボトルから切り離された場合、ボトルの外部環境に香りを放出するように構成されている。
【０１５１】
様々な例が、その具体的な実施形態を参照して説明されたが、開示の真の趣旨および範囲から逸脱することなく、様々な変更がなされ得、同等物が置き換えられ得るということが、当業者によって理解されるべきである。加えて、特定の状況、材料、物質の組成、工程、工程のステップまたはステップを、発明の目的、趣旨および範囲に適合させるために、多くの修正がなされ得る。そのような修正は、全て本明細書に添付された請求項の範囲内にあるように意図される。
【０１５２】
本特許書面は、多くの詳細を含むが、これらは、任意の発明の範囲または請求され得る範囲への限定と解釈されるべきでなく、特定の発明の特定の実施形態に特化し得る特徴の説明と解釈されるべきである。本特許書面において、別々の実施形態の文脈において説明された一定の特徴は、一つの実施形態において組み合わせて実施されることもできる。反対に、一つの実施形態の文脈において説明された様々な特徴は、複数の実施形態において別々に、または任意の適したサブコンビネーションにおいて、実施されることもできる。さらに、特徴は、一定の組み合わせにおいて作動するように上記で説明され得、最初にそのように請求さえされ得るが、請求される組み合わせからの一つ以上の特徴は、いくつかの場合において、その組み合わせから削除されることができ、請求される組み合わせは、サブコンビネーションまたはサブコンビネーションの変種に関し得る。
【０１５３】
同様に、操作は、図面において特定の順序で描かれているが、これは、所望の結果を達成するために、そのような操作が、示されている特定の順序または連続的な順序で実行されること、または、全ての例示された操作が実行されることを要求すると理解されるべきでない。さらに、本特許書面において説明された実施形態における様々なシステム構成要素の分離は、そのような分離を全ての実施形態において要求すると理解されるべきでない。
【０１５４】
少数の実装および例しか説明されておらず、他の実装、改良および変種が、本特許書面において説明および例示されたものに基づいて、なされることができる。
【図１Ａ】
2018188221.tif 000003
【図１Ｂ】
2018188221.tif 000004
【図２Ａ】
2018188221.tif 000005
【図２Ｂ】
2018188221.tif 000006
【図３Ａ】
2018188221.tif 000007
【図３Ｂ】
2018188221.tif 000008
【図４】
2018188221.tif 000009
【図５】
2018188221.tif 000010
【図６】
2018188221.tif 000011
【図７】
2018188221.tif 000012
【図８Ａ】
2018188221.tif 000013
【図８Ｂ】
2018188221.tif 000014
【図９】
2018188221.tif 000015
【図１０Ａ】
2018188221.tif 000016
【図１０Ｂ】
2018188221.tif 000017
【図１０Ｃ】
2018188221.tif 000018
【図１０Ｄ】
2018188221.tif 000019
【図１１Ａ】
2018188221.tif 000020
【図１１Ｂ】
2018188221.tif 000021
【図１２Ａ】
2018188221.tif 000022
【図１２Ｂ】
2018188221.tif 000023
【図１２Ｃ】
2018188221.tif 000024
【図１３】
2018188221.tif 000025